(57)【特許請求の範囲】
【請求項１】
フローティングレイク内の水を処理する方法であって、このフローティングレイクは、海洋、河、湖、ため池、潟、池、入江、小川、海湾、川湾、ダム、港、小湾のような広い水域内に設置され、このフローティングレイクは、側壁と底とを有し、フローティングレイクの底は、２０GPaまでのヤング率を有する可撓性材料により形成されており、この方法は、
ａ．５２時間のサイクル内で、最短でも約１０乃至約２０時間の間は、少なくとも５５０mVのＯＲＰレベルを維持するように、水に酸化剤を添加することと、
ｂ．水の濁度が５ＮＴＵを超える前に、水に凝集剤を添加することと、
ｃ．フローティングレイクの底のブラック色構成が、ＣＭＹＫスケールで３０%を超える前に、１又は複数の移動可能な吸引装置の動作を開始させて、移動可能な吸引装置により、底に溜っている固形物を含んだ水の一部を底から吸引することと、
ｄ．前記移動可能な吸引装置により吸引された水を濾過し、この濾過された水をフローティングレイクに戻すことにより、フローティングレイクの総量の水を濾過しないで、フローティングレイク内の水から溜まっていた固形物を除去することと、
フローティングレイクの表面面積の１平方メートル当たり少なくとも２０ニュートンの正圧を維持するように、フローティングレイクに水を供給することとを具備し、この供給される水は、３５Pt-Coまでのトゥルカラーと、２，０００CFU/mlよりも少ないバクテリア数とを有し、又、前記正圧は、７日間のインターバルの中の時間の少なくとも５０%の間、維持され、そして、水は、以下の式に従った交換割合で、
交換割合≧蒸発割合＋清浄割合＋漏れ割合
フローティングレイクに供給される方法。
【請求項２】
前記フローティングレイクは、５，０００m２よりも広い表面面積を有している請求項１に記載の方法。
【請求項３】
前記フローティングレイクの底と側壁とは、フローティングレイク内に水を保持することが可能であり、このフローティングレイク内の水を周囲の人工又は自然の水域から実質的に隔離し得る不透過性材料により形成されている請求項１に記載の方法。
【請求項４】
前記フローティングレイクの底は、クッション形式のシステム、フレーム構造体、複数の層、複数のチャンバ、又は、これらの組合せのような、吸引装置の動作に安定性を与えるシステムを有している請求項１に記載の方法。
【請求項５】
前記酸化剤は、ハロゲン系化合物、過マンガン酸塩、過酸化物、オゾン、過硫酸ナトリウム、過硫酸カリウム、電解方法により製造されたオキシダント、及び、これらの組合せからなるグループから選ばれている請求項１に記載の方法。
【請求項６】
前記凝集剤は、陽イオンポリマー、陰イオンポリマー、アルミニウム塩、アルミニウム塩酸塩、明ばん、アルミニウム硫酸塩、四級アンモニウム含有ポリマー、ポリクオタニウム、酸化カルシウム、水酸化カルシウム、硫酸鉄、塩化鉄、ポリアクリルアミド、アルミン酸ナトリウム、珪酸ナトリウム、キトサン、ゼラチン、グアールガム、アルギナート、モリンガの種、胡椒誘導剤、及び、これらの組合せからなるグループから選ばれている請求項１に記載の方法。
【請求項７】
前記フローティングレイクの底の色は、水に特定の色彩を与える請求項１に記載の方法。
【請求項８】
前記底は、ホワイト、イエロー、ライトブルー、又は、これら組合せの色になっている請求項７に記載の方法。
【請求項９】
化学物質の添加は、コーディネートシステムにより開始される請求項１に記載の方法。
【請求項１０】
前記吸引装置の動作は、コーディネートシステムにより開始される請求項１に記載の方法。
【請求項１１】
前記底の色は、経験、視覚測定、自動装置により決定されている請求項１に記載の方法。
【請求項１２】
前記移動可能な吸引装置は、２０GPaよりも小さいヤング率を有する可撓性の底を清浄可能である請求項１に記載の方法。
【請求項１３】
前記移動可能な吸引装置は、移動可能な吸引装置を可撓性の前記底に沿って維持させ得る磁気システムを有している請求項１に記載の方法。
【請求項１４】
前記移動可能な吸引装置は、可撓性のある装置である請求項１に記載の方法。
【請求項１５】
濾過システムが、浮いて、又は陸上に配置されている請求項１に記載の方法。
【請求項１６】
前記交換する水は、ポンプシステムによりフローティングレイクの中に供給される請求項１に記載の方法。
【請求項１７】
人工のフローティングレイクのシステムであって、このフローティングレイクは、海洋、河、湖、ため池、潟、池、入江、小川、海湾、川湾、ダム、港、小湾のような広い水域内に設置され、
このシステムは、
ａ．周りを囲むより大きな水体に浮くのに適したフローティングレイクであって、２０GPaよりも小さいヤング率を有する可撓性の底と、浮きシステムを構成しているリムを備えた側壁とを有する前記フローティングレイクと、
ｂ．５２時間のサイクルで、最短でも約１０乃至約２０時間の間は、水の中で少なくとも５５０mVの水の酸化還元電位（ＯＲＰ）を確立するように、フローティングレイク内の水に酸化剤を添加するように駆動される、フローティングレイク内の水に酸化剤又は凝集剤を添加する化学物質適用システムと、
ｃ．フローティングレイクの表面面積の１平方メートル当たり少なくとも２０ニュートンの正圧が、この正圧が７日のインターバル内の少なくとも５０%の時間の間、維持されるように、維持するためのポンプシステムと、 
ｄ．フローティングレイクの可撓性の底に沿って移動可能であり、底に溜っている固形物を含んだ水の一部を底から吸引する、移動可能な吸引装置と、
ｅ．前記移動可能な吸引装置と流体接続しており、移動可能な吸引装置により吸引された前記水の一部を受ける濾過システムと、
ｆ．前記濾過システムからフローティングレイクに濾過された水を戻すための戻しラインと、を具備するフローティングレイクシステム。
【請求項１８】
前記フローティングレイクは、５，０００m２よりも広い表面面積を有している請求項１７に記載のフローティングレイクシステム。
【請求項１９】
前記フローティングレイクの底と側壁とは、フローティングレイク内に水を保持することが可能であり、このフローティングレイク内の水を周囲の人工又は自然の水域から実質的に隔離し得る不透過性材料により形成されている請求項１７に記載のフローティングレイクシステム。
【請求項２０】
前記底は、フローティングレイク内の水を周りの水域から隔離する単一の不透過性の層により構成されている請求項１７に記載のフローティングレイクシステム。
【請求項２１】
前記底は、フローティングレイク内の水を周りの水域から隔離する複数の層により構成されている請求項１７に記載のフローティングレイクシステム。
【請求項２２】
前記複数の層は、夫々同じ又は異なる材料により形成され、夫々異なる透過性を有している請求項２１に記載のフローティングレイクシステム。
【請求項２３】
前記底は、底の安定性及び/又はモジュール構成を高め得る１又は複数のフレーム部品により構成されたフレーム構造体を有している請求項１７に記載のフローティングレイクシステム。
【請求項２４】
前記底は、前記複数のフレーム部品間にフレームコネクターを有している請求項２３に記載のフローティングレイクシステム。
【請求項２５】
前記フローティングレイクは、前記可撓性の底と１又は複数のフレーム部品との間の接続をする１又は複数のレールを有している請求項１７に記載のフローティングレイクシステム。
【請求項２６】
前記１又は複数のフレーム部品は、剛性の材料により形成されている請求項２３に記載のフローティングレイクシステム。
【請求項２７】
前記１又は複数のフレーム部品の剛性材料は、金属、金属合金、プラスチック、木材、又はコンクリート、又は、これらの組合せである請求項２６に記載のフローティングレイクシステム。
【請求項２８】
前記１又は複数のフレーム部品は、可撓性の材料により形成されている請求項２３に記載のフローティングレイクシステム。
【請求項２９】
前記１又は複数のフレーム部品の可撓性の材料は、ゴム、プラスチック、布、ナイロン、又は、これらの組合せである請求項２８に記載のフローティングレイクシステム。
【請求項３０】
前記フレームコネクターは、可撓性の材料により形成されている請求項２４に記載のフローティングレイクシステム。
【請求項３１】
前記フレームコネクターは、剛性の材料により形成されている請求項２４に記載のフローティングレイクシステム。
【請求項３２】
前記底は、安定した底を形成可能なように、１又は複数のクッション性を有するセルを有している請求項１７に記載のフローティングレイクシステム。
【請求項３３】
前記クッション性を有するセルは、気体又は液体からなる流体、膨張可能なフォーム材、もしくは、これらの組合せが充填されている請求項３２に記載のフローティングレイクシステム。
【請求項３４】
前記フローティングレイクは、ポリウレタン系と、押し出しポリスチレン及び発泡ビードポリスチレンのようなポリスチレン系と、ホリエチレン系と、エアチャンバ、ゴムエアバック、又は、ビニールエアバックのような空気充填システムと、プラスチック、フォーム、ゴム、ビニール、樹脂、コンクリート、アルミニウム、及び、異なる種類の木材のような他の適切な材料により構成されたシステム、からなるグループから選ばれた１又は複数の浮き材を有している請求項１７に記載のフローティングレイクシステム。
【請求項３５】
前記フローティングレイクは、ビーチ、歩道、遊歩道、プロムナード、ポンツーン、手すり、傾斜した入口システムから選ばれた１又は複数の更なる設備を有している請求項１７に記載のフローティングレイクシステム。
【請求項３６】
前記フローティングレイクの底及び/又は側壁は、潮流、風、潮、又は、周りの水域及び環境の特定の天候状態に対して対処するように周りの水域の底に留められている請求項１７に記載のフローティングレイクシステム。
【請求項３７】
このフローティングレイクシステムは、周りの水域の底にある対応したアンカーポイントに接続される１又は複数のアンカーポイントを具備している請求項１７に記載のフローティングレイクシステム。
【請求項３８】
前記フローティングレイクは、フローティングレイクシステムへの入口を与えるように本土に留められる請求項１７に記載のフローティングレイクシステム。
【請求項３９】
前記フローティングレイクは、所定の距離だけ本土から離間されており、本土からフローティングレイクへの入口は、本土をフローティングレイクに接続する１又は複数のドック及び橋により与えられる請求項１７に記載のフローティングレイクシステム。
【請求項４０】
このフローティングレイクシステムは、コーディネートシステムを具備している請求項１７に記載のフローティングレイクシステム。
【請求項４１】
前記コーディネートシステムは、水質パラメータに関する情報を受けて、この情報を処理して、化学物質適用手段を駆動、並びに/もしくは、移動可能な吸引装置、及び/又は、濾過システムの動作を開始させるように、配設及び構成されている請求項４０に記載のフローティングレイクシステム。
【請求項４２】
前記コーディネートシステムは、底の色のブラック構成がＣＭＹＫで３０%を超える前に、移動可能な吸引装置の動作を開始させるように、配設及び構成されている請求項４１に記載のフローティングレイクシステム。
【請求項４３】
前記底の材料は、ゴム、プラスチック、テフロン（登録商標）すなわちポリテトラフルオロエチレン、低密度ポリエチレン、高密度ポリエチレン、ポリプロピレン、ナイロン、ポリスチレン、ポリカーボネイト、ポリエチレンテレフレート、ファイバー、ファイバーボード、木材、ポリアミド、ＰＶＣ膜、布、複合布、ジオメンブレン、アクリル樹脂、及び、これらの組合せからなるグループから選択された可撓性の材料である請求項１７に記載のフローティングレイクシステム。
【請求項４４】
前記側壁は、フローティングレイクが中に設置されている水域からの水が、所定の透過度で側壁を通ることを可能にする透過性の材料により形成されている請求項１７に記載のフローティングレイクシステム。
【請求項４５】
このフローティングレイクは、複数の移動可能な吸引装置を具備し、前記濾過システムは、複数のフイルターを有している、請求項１７に記載のフローティングレイクシステム。
【請求項４６】
前記底は、フローティングレイク内の水に特定の色彩を与える色を有している請求項１７に記載のフローティングレイクシステム。
【請求項４７】
前記底は、ホワイト、イエロー、又は、ライトブルーの色、もしくは、これらの組合せを有している請求項１７に記載のフローティングレイクシステム。
【請求項４８】
熱交換器にフローティングレイクからの水を供給するために、フローティングレイクから工業用のブロセスの熱交換システムまでの供給ラインと、工業用のブロセスの熱交換器からフローティングレイクへ水を戻すための戻し水ラインとを、更に、具備している請求項１７に記載のフローティングレイクシステム。
【発明の詳細な説明】
【技術分野】
【０００１】
本願は、ＰＣＴ国際特許として２０１４年１１月４日に出願され、また、２０１３年１１月５日に出願されたＵ．Ｓ．仮特許出願 No.61/900,308、及び２０１４年１１月３日に出願されたＵ．Ｓ．実用特許出願 No.14/531,395による優先権を享受したものであり、これら出願は、ここでは全体として参照として、組み入れられる。  
本願は、フローティングレイク(floating lake )を取扱い且つ構築するための方法及びシステムに関している。これらフローティングレイクは、フローティングレイク内の水質及び／又は審美的特徴が、リクレーションとは異なる基準、即ち、より厳しい基準に従う広い水域内に構築される。
【背景技術】
【０００２】
微生物学的、物理化学的、及び／又は、審美的な、水域の状態が、水と直接に接触するウオータスポーツや水浴のようなレクレーションの目的には適用できない多くの水域が、世界中にある。これら水域での水質は、水と直接に接触する人々に潜在的に衛生かつ安全に対するリスクを与えるものである。その上、これら水域の予測される状況は、リクレーションのための使用をやめさせるかもしれない刺激的、心地良さ、及び／又は、理想的ではないかもしれない。ゴルフ場の池、ため池、公共公園の池、ダム、川、湖、海洋、海湾、川湾、等は、水域をリクレーションのための使用には適さなくさせる微生物学的、物理化学的、及び／又は、審美的な状態であろう水域の例である。これら水域は、中都市、田舎、又は、人口の少ない場所で見られ得る。
【０００３】
世界の人口が増え続けるのに従って、広い陸地のエリアが急速に占用されて、陸地の資源が少なくなってくる。海岸のエリアは、海又は川に近いので、多くの人を引きつける。しかし、これらエリアの急速な発展は、度々、利用可能な陸地が、リクレーションのためにこれらエリアを使用する機会を制限する、住宅又は産業に利用される結果となる。非沿岸エリアでは、多くの人々は、リクレーションのための使用に適している水質及び／又は審美的状態の水域をアクセスすること又は近くに住むことができない。自然又は人口の水域を備えている大都市内で、利用可能な陸地は、代表的には、ウオータスポーツの実行の又は水域に関連した他のリクレーションのための使用の機会を与えることにより、これら都市の人々の生活の質を改善することができる水域をつくるための利用可能なエリアとは離れて、住宅又は産業のために理由される。更に、人口密集エリア内にある水域は、堆積物、汚染物、及び／又は、水域の安全では無い状態(例えば、傾斜した底、乏しい清潔さ、及び、知られていないアンダーウオータの地形)により、リクレーションのための使用には適していない。
【０００４】
世界の多くの人々は、水質が、低濁度、高透明度、及び、クリスタルクリアーウォータ効果を生じする鮮明度を有し、そして、魅力的で望まれている審美的形態をつくる白砂底である熱帯の海に近い水域を有する場所にアクセスすることを熱望している。熱帯の海の水の鮮明さは、世界中から旅行者を引き寄せている。例えば、カリブ海及びその周辺のエリアは、２０１２年には、２０１１年よりも５．４％増の２５００万人近くが訪れていた。又、このような数は、毎年増加し続けると予測されている。世界中に多数の水域があると、通常の審美的でなく水質が悪い水域を、安全な方法でのリクレーションの目的のためにこれらを有効に使用することができるように、変える必要がある。かくして、熱帯の海により与えられる水質と審美的な性質とを有する水域を与えるように、水域全体又はその一部を変えることが望まれている。このように水域変える機能は、ローカルなコミュニテイの経済的な発展と、リクレーションの目的には適していない既存の水域を魅力的な熱帯の海の環境にすることによる世界中の人々の比較的大きい集団のライフスタイルの改善とを与える。
【０００５】
幾つかの研究が、米国の湖、貯水池、池に対してなされている。例えば、評価された１７００万以上のエーカの湖、貯水池、池のうちの４４％以上が、１又は複数の使用に対して適していないことが、判っている。これらの水域は、他による影響もあるけれども、特に、養分、金属、目詰まり、総溶解固形分、及び、過度の藻類の成長に悪影響を受けていることが判っている。米国内の湖の４１％以上が、人間の健康に潜在的に広い範囲で有しているであろう藻類の毒素に潜在的にさらされる高いリスクを負っていることが決定されている。これら研究は、又、水浴のようなリクレーションの目的で、又は、水質及び／又は審美的状態が比較的適している場合に、水と直接接触する水上(中)スポーツの実施のために潜在的に使用され得る１４０，０００以上の水域があることを見い出している。一般的に、これら水域は、リクレーション又は審美的水質の基準を満たしていない悪い水質及び／又は審美的状態のために、リクレーションの目的には適していない。
【０００６】
更に、自然及び人工の多くの既存の水域は、リクレーションの目的とウオータスポーツとには、強い流れ、危険な海岸線、及び／又は、一定でない、即ち、危険な底の形態等の危険な物理的な障害に関連した安全性の理由により、適していない。そして、これらは、実際は、熱帯の海の審美的特徴を有していない。これら水域での、水浴又はこれに関係したウオータスポーツは、１又は複数のリスクにさらされ得る。例えば、もし、水浴又はウオータスポーツにたずさわる者が、潮、又は他の形態の潮流に遭遇した、又は、水中の障害物に合った場合には、溺死する場合もあり得る。更に、水浴又はウオータスポーツにたずさわる者は、岩又は一般的なタイプの破壊物片に擦れた又は当たったことにより、並びに／もしくは、判断ミス及び危険であり得るスロープを有するビーチエリア又は他の海岸線のエリアにより、傷付けられ得る。
【０００７】
リクレーションの目的を果たすためには、水域は、一般的に、リクレーションの使用にとって負の影響を与えるかも知れない微生物学的及び／又は物理化学的汚染を避けるために、特定の厳しい規定を満たさなければならない。このことは、若年者や老年者のように、高い病のリスクを有している特定の人口層では、特に重要である。又、藻類の影響は、幾種かの人間の病として考慮して、水域内で見られ得る藻類の毒素と関連されていることが、報告されている、ことを考慮されるべきである。このような規制は、水との直接の接触を含む使用に対して安全である水を提供するように、水の微生物学的及び／又は物理化学的な質を制御していることを意図している。
【０００８】
又、リクレーションの目的には適した水質を有してはいるが、水域に暗く不満足な彩色を与える堆積物、残骸、及び／又は、スラッジで底が覆われているために、審美的に人を引きつけられない多くの水域がある。かくして、リクレーションの目的のための水質への要求は、度々、水の審美的状態に向けられた要求も含んでいる。これら要求は、一般的に、水域が、浮遊残骸、浮遊藻類、油、浮遊カス、及び、沈殿物を形成する助けをなす他の物が無く、又、不愉快な色、匂い、味、又は、濁りを生じさせる物質が無く、そして、好ましくない水との生活を生じさせる物質が無い水域を提供している。規制は、リクレーションのエリアからの水が、水中に沈んでいる障害物を容易に見ることができると共に沈んでいる岩や傾斜した底のような残骸又は物理的障害物を見つけることができるように、使用者が深さを想定できるように充分に透明であることを、要求している。一般的に、水域の底にとどき得る光の量は、水の透明度により決定されている。しかし、自然又は人工の水域での光の透過深さは、浮遊している微植物及び動物、色を付ける、浮遊しているミネラル粒子及び染料、油及び泡、そして、葉、小枝等の浮遊及び懸濁屑により、影響される。
【０００９】
リクレーションの目的及び海上のスポーツにとって適した水質及び／又は審美的状態を有している大型の水域から利益を受けている多くの地区が、世界中にある。しかし、このような大型の水域は、新規な構造と、比較的多い量の化学物質及びエネルギーを必要する大きいサイズに基づく明らかな理由のために、一般の技術、又は、通常のプール濾過技術では、取り扱われ得ない。又、多くの例で、要望に従って、堆積物、残骸、及び／又は、スラッジで覆われている底を変えるような、審美的な状態を加えるように、又、ビーチエリアにとって安全なスロープを与えるように、自然又は人口水域の構造上の変更がなされている。大きい湖、もしくは、他の大きい自然又は人工の水域の水質を全て完全に変えること、及び／又は、既に良い水質を有しているが、リクレーションの使用には適していない審美的な特徴を有している水域に引きつけるような色彩を施すこと、に対して経済的で適用できる技術は、一般的には存在していない。かくして、自然又は人工の水域を、リクレーションの使用と海でのスポーツの実行とに適した水質及び／又は審美的質を有する水域内のエリアを与えるように変えることの可能なシステムと方法とが必要とされている。
【００１０】
従来技術
U.S. 特許 No. 4,087,870は、可撓性のシートと、浮遊力のあるリム部分と、濾過アッセンブリとから形成されている側壁を有しているフローティングスイミングプールを開示している。このフローティングスイミングプールは、通常のスイミングプールとして取り扱うようにデザインされ、一般の中央濾過システムのような永久的なプール設備と類似している動作特性を与えている。尚、前記中央濾過システムは、１日当たり１乃至６度のフローティングプールの容量の総水と永久的な化学濃縮物とを濾過する。このようなシステムは、これが、一般のスイミングプールの水処理技術と、大型のフローティングレイクには技術的及び経済的に与えることが適していない濾過とを使用しているので、大型のフローティングレイクでの使用には適していない。
【００１１】
U.S. 2005/0198730は、フローティングスイミングプール装置を開示している。この装置の主な構成部材は、強度に優れた耐水性のグラスファイバーで強化されたプラスチックにより形成されている。この結果、材料費が比較的高価であり、又、大型のフローティングレイクに関連された構造的負荷と、水の移動とを受けるような柔軟性を与えられない。又、このような装置は、構造上の制限があるために、大型のフローティングレイクへとスケールアップすることは、大変難しい。
【発明の概要】
【００１２】
本願発明は、フローティングレイクに、又、このようなレイクの水の処理に関している。更に、本願発明は、自然又は人工の水域内に設置された大型のフローティングレイクに関している。
【００１３】
フローティングレイクの深さと表面面積とを含んでいるフローティングレイクのディメンションは、水域の表面面積及び他の物理的特性と同様に、必要かつ既存の資源に基づいて変えられ得る。フローティングレイクには、化学物質適用システムと、移動可能な吸引装置及びフイルターを備えた濾過システムと、浮遊物除去システムとが設けられ得、又、更に、コーディネートシステムが設けられ得る。本願発明のシステムと方法とは、従来のシステムよりも少ない資本費、エネルギー消耗、及び、化学物質の使用のために、かなりのコスト削減が可能なように設定され得る。これは、特定の可変の評価ではあるが、水域の実際の要求に基づいた本願からの方法の出発によるし、又、一般のスイミングプールの処理と比較して要求される低いＯＲＰ標準によるし、更に、フローティングレイクの底の色に基づいた効率的な濾過システムの使用による。
【００１４】
本願発明は、水域内に設置されるフローティングレイク内の水の処理のための方法に関している。このフローティングレイクは、側壁と底とを有し、フローティングレイクの底は、２０GPaまでのヤング率を有する可撓性の材料により構成されている。この方法は、一般的に、５２時間のサイクル内で、約１０乃至約２０時間の最短時間に、少なくとも５５０mVのＯＲＰレベルを維持するように、水に酸化剤を添加することと、水の濁度が５ＮＴＵを超える前に、水に凝集剤を添加することと、フローティングレイクの底のブラック色構成が、ＣＭＹＫスケールで３０%を超えるときに、移動可能な吸引装置の動作を開始させて、移動可能な吸引装置により、底に溜っている固形物を含んだ水の一部を底から吸引することと、前記移動可能な吸引装置により吸引された水を濾過し、この濾過された水をフローティングレイクに戻すことと、フローティングレイクの表面面積の１平方メートル当たり少なくとも２０ニュートンの正圧を維持するように、フローティングレイクに水を供給することとを具備し、前記正圧は、７日間のインターバルの中の時間の少なくとも５０%の間、維持され、そして、水は、以下の式に従った交換割合で、
交換割合≧蒸発速度＋清浄速度＋漏れ速度
フローティングレイクに供給される。
【００１５】
又、本願発明は、フローティングレイクの構造に関している。本願発明のフローティングレイクは、一般に、２０GPaよりも小さいヤング率を有する可撓性の底と、浮きシステムを構成しているリムを備えた側壁とを有する前記フローティングレイクと、フローティングレイクの表面面積の１平方メートル当たり少なくとも２０ニュートンの正圧が、この正圧が７日のインターバル内の少なくとも５０%の時間の間、維持されるように、維持するためのポンプシステムと、前記フローティングレイク内の水に酸化剤又は凝集剤のような化学物質を添加するための化学物質適用システムと、フローティングレイクの可撓性の底に沿って移動可能であり、底に溜っている固形物を含んだ水の一部を底から吸引する、移動可能な吸引装置と、前記移動可能な吸引装置と流体的に連通しており、移動可能な吸引装置により吸引された前記水の一部を受ける、濾過システムと、濾過された水を濾過システムからフローティングレイクに戻すための戻しラインと、を具備している。このシステムは、又、コーディネートシステムを有し得、このコーディネートシステムは、前記化学物質適用システムの動作を開始させる。
【図面の簡単な説明】
【００１６】
【図１】図１は、本願発明に係わるフローティングレイクの一実施の形態を示している。
【図２】図２は、本願発明に係わるフローティングレイクの一実施の形態の拡大図を示している。
【図３】図３は、本願発明に係わるフローティングレイクの断面図を示している。
【図４Ａ】図４Ａは、本願発明に係わるフローティングレイクで使用されている層構造を概略的に示している。
【図４Ｂ】図ＢＡは、本願発明に係わるフローティングレイクで使用されている層構造を概略的に示している。
【図４Ｃ】図４Ｃは、本願発明に係わるフローティングレイクで使用されている層構造を概略的示にしている。
【図５】図５は、本願発明に係わるフローティングレイクの一実施の形態を概略的に示している。
【図６】図６は、本願発明に係わるフローティングレイクの一実施の形態を概略的に示している。
【図７】図７は、本願発明に係わるフローティングレイクの一実施の形態を概略的に示している。
【図８】図８は、本願発明に係わるフローティングレイクの吸引装置の一例を概略的に示している。
【図９Ａ】図９Ａは、図１のフローティングレイクの一実施の形態を示している。
【図９Ｂ】図９Ｂは、図１のフローティングレイクの一実施の形態を示している。
【図１０Ａ】図１０Ａは、図１のフローティングレイクのためのフレーム構成システムを概略的に示している。
【図１０Ｂ】図１０Ｂは、図１のフローティングレイクのためのフレーム構成システムを概略的に示している。一実施の形態を示している。
【図１１Ａ】図１１Ａは、図１のフローティングレイクのための膨らまし可能部分を概略的に示している。
【図１１Ｂ】図１１Ｂは、図１のフローティングレイクのための膨らまし可能部分を概略的に示している。
【図１２Ａ】図１２Ａは、図１のフローティングレイクの底内の膨らまし可能部分の配置を概略的に示している。
【図１２Ｂ】図１２Ｂは、図１のフローティングレイクの底内の膨らまし可能部分の配置を概略的に示している。
【図１２Ｃ】図１２Ｃは、図１のフローティングレイクの底内の膨らまし可能部分の配置を概略的に示している。
【発明を実施するための形態】
【００１７】
以下の詳細な説明は、添付の図面を参照している。本願発明の実施の形態が、記載されているけれども、変形、適合、及び、他の設備が可能である。例えば、置換、追加、又は、変更が、図面に示されている部品になされ得、又、ここで記載されている方法は、記載されている方法に、工程を、置換、順序換え、又は、追加することにより、変更され得る。従って、以下の詳細な説明は、本願発明の範囲を限定するものではない。システム及び方法が、種々の装置又は工程を「有する」の用語で記載されており、又、システム及び方法は、他の表現がない限り種々の装置又は工程のみから実質的に構成され、又は、のみから構成され得る。
【００１８】
本願発明のシステム及び方法
本願発明は、フローティングレイクシステムに関し、フローティングレイク内の水質を取扱いかつ維持するためのフローティングレイクシステム及び方法に関している。
【００１９】
本願発明は、熱帯の海に近い澄み切った水を備えた大型のフローティングレイクに関している。大型のフローティングレイクは、海洋、川、湖、ため池、潟、ダム、池、運河、港、入江、小川、海湾、川湾、又は、他の水域のような自然又は人工の水域内に設置される。本願発明は、種々の水域の内としての実施の形態を示しているが、実施の形態は、海岸線又はビーチラインに隣接しているエッジも含み得ることは、当業者にとって判るであろう。
【００２０】
本願は、又、悪い水質と低い美学的特徴とに苦しんでいる全世界を通じての水域の効果を得ると共に、世界中の人々の生活の質を改善するために、大型のフローティングレイクの取扱いのための方法に関している。本願のフローティングレイクは、安全な状態での水のスポーツの実行と共にン里の出の使用を可能にしており、又、世界中の町の快適性への予期せぬ社会学的なインパクトを生じさせ得る。本願からのフローティングレイクは、従来の技術では経済的に生じ得られなかった審美的特徴を生じさせており、以前は有用と考えられていなかった自然又は人工の水域の使用において大きなインパクトを生じさせている。
【００２１】
フローティングレイクの深さと表面面積とを含むフローティングレイクのディメンションは、水域の表面面積、及び、水面下の障害物、深さ等の、中にフローティングレイクが構築される水域の他の物理的な態様と同様に、必要で存在する資源に基づいて、変更され得る。例えば、幾つかの実施の形態では、フローティングレイクは、少なくとも５，０００m２、又は、少なくとも１０，０００m２、又は、少なくとも２０，０００m2の表面面積を有し得る。
【００２２】
処理するための方法の実施の形態は、自然又は人工の水域内に設置される大型のフローティングレイクの処置をするように向けられている。このような自然又は人工の水域は、リクレーションの目的のための衛生的及び／又は審美的な要求、または、より厳しい要求を満たしていない水質を有している。特に、デザインされたフローティングレイクは、本願発明の方法を適用可能であるように、設けられている。
【００２３】
一実施の形態に係われば、フローティングレイクは、自然又は人工の水の中に設置され得る。図１及び２は、自然の水路の中に設置され得る例示的な実施の形態を示している。このフローティングレイクは、例えば、処理をしなければ、リクレーションの使用に適した水質及び／又は審美的状態を与えないエリア内の町又は他の自治体にリクレーションに適した水を供給することができる。フローティングレイクは、化学的又は生物的な汚染、安全に係わる事項、又は、審美的理由により、リクレーションの使用には適していない水の状態を改善するように設置され得る。
【００２４】
フローティングレイクは、浮力を与えるために、周囲の水域の水位の変化を許容するように構成され得る。例えば、フローティングレイクシステムは、周囲の水域の水位の変化に応じて浮くことができるように設計され得る。このような場合、周りの水域の水位が低くなった(例えば、引き潮で)場合には、全体のフローティングレイクシステムは、自然の水域の表面と共に低くされ得る。一方、周りの水域の水位が高くなったときには、フローティングレイクは、これと共に上昇し得る。これは、フローティングレイクシステムの浮きシステムが、浮力をフローティングレイクに与えて、周りの水位の水面の水位と同じ、又は近くにフローティングレイクの表面を維持することができるからである。異なる実施の形態では、フローティングレイクの底の少なくともある場所が、低い水位での周りのフローティングレイクの底と接触するようになり得るか、又は、常時、底と接触可能である。
【００２５】
潮、潮流、又は、風及び他の現象により発生される自然の波により、周りの水域とフローティングレイクとの中の水の水位の変化と動きとは、フローティングレイクの底での負荷又は圧力の変化を生じさせる。フローティングレイクの構造上の安定性は、この構造が、例えば、周りの水域の底に対して垂直方向の位置が固定されている場合に発生される負荷に対処するように、デザインで考慮され得る。このような構造は、周りの水域の動きに従って揺動又は移動し得る柔軟性があるが安定し得る底を与えることにより、上記負荷に対して対処し得るようにデザインされ得る。又、この構造は、水面下の力に充分に対処するように、フローティングレイクシステムの垂直及び／又は水平の支持をするアンカーシステムを有し得る。
【００２６】
図３に示されている実施の形態に係われば、フローティングレイク１は、可撓性の底２と側壁３とを有し得る。これら底２と側壁３とは、フローティングレイク内に水を保持し、このフローティングレイク内の水を周囲の人工又は自然の水域から実質的に隔離し得る不透過性材料により形成されているライナーを有し得る。適切ではあるが、これらに限定されない、このための材料の例は、代表的には、ゴム、プラスチック、テフロン(登録商標)、低密度ポリエチレン、高密度ポリエチレン、ポリプロピレン、ナイロン、ポリスチレン、ポリカーボネイト、ポリエチレンテレフレート、ファイバー、ファイバーボード、木材、ポリアミド、ＰＶＣ膜、布、複合布、ジオメンブレン、アクリル樹脂、及び、これらの組合せ、等である。底２のライナー２０２は、側壁３のライナー２０３と連続している。異なる実施の形態では、前記底２のライナー２０２は、側壁３のライナー２０３とは、異なる材料で形成されている。
【００２７】
一実施の形態に係われば、前記底２及び／又は側壁３は、複数の層を有し、これら層は、同じ又は異なる材料により形成され得るし、又、透過性が異なっていても良い。付加の層が、フローティングレイクから周囲の水域中へと水が漏れるのを防ぐのを助けるために設けられ得る。フローティングレイクから周囲の水域中へと水が漏れるのを減じるために、収集又は排水システムが、底の異なる層間に設けられ得る。又、種々の構成が、フローティングレイクの底及び／又は側壁に、所定のレベル又は剛性を与えるように、使用され得る。所定の値の可撓性を有する底２が、フローティングレイク１への穿孔、破損、及び他の損傷に耐え得ることが望ましい。
【００２８】
材料のヤング率、即ち、弾性係数が、材料の弾力性の算定基準である。高い係数が、剛性の材料を、又、低い係数が、より弾性的な材料を示す。可撓性の底を与えるために、底２に使用されている材料又は部材のヤング率は、以下のために、代表的には、約１００GPa、約５０GPa、約２０GPa、１５GPa、又は、１０GPa以下である。即ち、この値は、底部材が可撓性を有し、周りの水、フローティングレイク内の水、又は、例えば、移動可能な吸引装置の駆動に起因する圧力により材料に加えられる負荷による過度の変形又は破損の代わりに、自然の状態に戻ることを可能にしている。
【００２９】
幾つかの実施の形態に係われば、前記ライナー２００は、約２０GPaまでのヤング率を有する可撓性部材により形成されている。一実施の形態に係われば、前記ライナー２００は、約１０GPaまでのヤング率を有する可撓性部材により形成されている。他の実施の形態に係われば、前記ライナー２００は、約０．０１乃至約１５GPaのヤング率を有する可撓性部材により形成されている。更なる他の実施の形態に係われば、前記ライナー２００は、約０．０１乃至約１０GPaのヤング率を有する可撓性部材により形成されている。ライナー２００の異なる部分(例えば、底のライナー２０２又は側壁のライナー２０３)は、異なる部材により構成され得る。
【００３０】
可撓性の底２は、フローティングレイク１に多くの効果を与えている。例えば、可撓性の底２は、フローティングレイクシステムに対して低コストのオプションを与え、穿孔又は損傷することが無く圧力に耐えることができ、容易に設置され、そして、フローティングレイクの内外の水の動きを許容し得る。一方、充分に剛性のある底は、非常に高価であり、設置が難しく、そして、周りの水域により発生される大きい負荷により容易く損傷されてしまう可能性がある。充分に剛性のある底を使用することにより、周囲の水により発生される負荷は、材料に対する緩みと、構造の破損と、周囲の水との混合及び汚染される、フローティングレイク内の水とを、生じさせる。このために、リクレーションの目的のための必要な水質及び／又は審美的状態を達成することができない。
【００３１】
フローティングレイク１の底２は、１又は複数の材料と形態とを有し得る。幾つかの実施の形態では、フローティングレイク１は、１又は複数の層で形成された底２を有し得る。図４Ａ乃至４Ｃに示されているように、底２は、層状の構造を有し得る。図４Ａに示されている一実施の形態では、底２の層状の構造は、単一の層により形成され得る。図４Ｂに示されている他の実施の形態では、底２の層状の構造は、２つの層により形成され得る。図４Ｃに示されている更なる他の実施の形態では、底２の層状の構造は、複合層により形成され得る。
【００３２】
互いに異なる層は、耐久性、非浸透性、安定性、及び、剛性、及び／又は可撓性のような異なる性質で、底２を形成するように、互いに組合せられ得る。一実施の形態では、前記底２と側壁３とは、同じ又は類似の材料により構成されている。代わって、前記底２は、側壁３とは異なる材料で構成され得るか、異なる層構造を有し得る。底の材料のヤング率は、異なる形態で１又は複数の異なる材料により構成され得る底に対して、全体として、使用されている。
【００３３】
実施の形態に係われば、前記底２は、全体に渡って２０Gpa以下のヤング率を有する可撓性の底を形成することが可能である、ゴム、プラスチック、テフロン、低密度ポリエチレン、高密度ポリエチレン、ポリプロピレン、ナイロン、ポリスチレン、ポリカーボネイト、ポリエチレンテレフレート、ファイバー、ファイバーボード、木材、ポリアミド、ＰＶＣ膜、布、アクリル樹脂、及び、これらの組合せ、等のような、部材又は材料を有している。多くの実施の形態では、底２の層の各々は、大きくても２０Gpaのヤング率を、独立して有している。
【００３４】
一例示的な実施の形態では、前記底２と側壁３とは、布層により、例えば、ポリウレタンが射出されたナイロン布でできており、非透過性のHipora (登録商標)の防水布のような複合布により構成されている。この布は、フローティングレイク１の底２と側壁３とを形成するように、縫われかつシールされ得、周囲の水から実質的に隔離されたフローティングレイク１内の水を保持し得、又、周囲の水の侵入からフローティングレイクの水を保護している。
【００３５】
他の例示的な実施の形態では、前記底２と側壁３とは、リニア低密度ポリエチレン(ＬＬＤＰＥ)の層を有している。例えば、底２と側壁３とは、水との長期の接触に適したシーラントと一緒に熱溶融、熱融着、又は、熱接着され得るＬＬＤＰＥジオメンブレンを有し得る。更に他の例示的な実施の形態では、底２と側壁３とは、高強度ＰＶＣ材料の層を有している。他の適切な材料は、ジオテキスタイルＰＶＣ材、エラストマー系接着剤、又は、ポリマースプレー、もしくは、多層ビチューメンジオコンポジットを含んでいる。ライナーの厚さは、目的に適した如何なる厚さでも良く、フローティングレイク１への要求、例えば、耐久性、耐穿孔性、安定性、及び剛性／可撓性に合うように調節され得る。ライナーの厚さは、例えば、約０．４mm、約０．５mm、約０．７５mm、約１mm、又は、これ以上であり得る。ライナーは、図４Ｃの多層構造のような層構造の中の層として含まれ得る。底２の部分相互の、又は、側壁３との接続のための適切なシーラントは、ブチルテープ(butyl tapes)であり、これは、防水性、自己接着性、柔軟性、及び、可撓性があり、プラスチックに取着され得る、接着シールテープである。又、防水性の材料と、熱溶融、熱融着、又は、熱接着のようなシールする技術とは、周囲の水からフローティングレイク１内の水を実質的に分離し得る構造を達成することが可能である。
【００３６】
前記底は、又、１又は複数のフレーム構造体を有し得る。フレーム構造体は、フローティングレイクシステムのモジュラー形態を可能にするように構成され得る。図１０Ａから見られ得るように、フローティングレイク１は、フローティングレイク１の底に配置された１又は複数のフレーム構造体１５を有し得る。フレーム構造体は、底２の層構造の下又は上、もしくは、層間に配置されるような構成され得る。しかし、フローティングレイクは、好ましくは、構造をなすことができるが、フローティングレイクの非透過性に影響を与えないように、底の下側に配置されることが、好ましい。フレーム構造体１５は、底に更なる安定性を与えるために、フローティングレイク１の底の形状に基づいた形態で一緒に結合され得る。図１０Ｂには、フローティングレイク１の実施の形態が示されており、フレーム構造体１５を備えた底２と、側壁３と、浮きシステム５とを有している。少なくとも幾つかの実施の形態で、フレーム構造体１５は、より安定性とフローティングレイク１の形状を維持することとのために、フローティングレイク１の側壁３に設けられうる。フレーム構造体１５は、リム４及び／又は浮きシステム５に接続され得る。
【００３７】
前記フレーム構造体１５は、剛性の又は可撓性の材料により構成され得る。このような材料は、フローティングレイクが、水面下に一般的に位置されるので、水面下の状態に適するように、選定され得る。剛性のフレーム、パイプ、又は、頑丈なフローティングレイクを形成するための形状物が、如何なる適切な材料により構成され得る。実施の形態において、１又は複数のフレーム部品の剛性材料は、金属、金属合金、プラスチック、木材、
コンクリート、又は、これらの組合せである。剛性の材料の例は、スチール又はアルミニウムのような金属、プラスチック、木材、コンクリート等である。実施の形態において、１又は複数のフレーム部品の可撓性の材料は、ゴム、プラスチック、布、ナイロン、又は、これらの組合せである。可撓性のフレーム、パイプ、ホース、又は、可撓性のフレーム構造体を形成するための形成物が、可撓性のフレームを構成するのに適している如何なる材料により構成され得る。可撓性の材料の例は、プラスチック、ゴム、布、ナイロン等を含んでいる。
【００３８】
フレーム構造体１５は、コネクター１５１を使用することにより互いに接続され得る複数のフレーム構成部材１５０により構成され得る。これらコネクター１５１及びコネクター材は、デザインの形態とフレーム構成部材１５０の材料とに基づいて選定され得る。フレームのコネクター１５１は、可撓性又は剛性の材料を含み得る。適切なフレームのコネクター１５１は、溶接体、プレート、ねじ、コード、等を含んでいる。更に、コネクター１５１は、フレーム構成部材１５０をフローティングレイク１の構造物の残りの部分に接続するために使用され得る。実施の形態において、フローティングレイクは、前記可撓性の底と１又は複数のフレーム部品との間の接続をする１又は複数のレールを有している。
【００３９】
幾つかの実施の形態に係われば、前記側壁３は、図３及び５−７に示されているように、リム４を更に有し得る。このリム４は、フレーム構成部材１５０を有し得、ライナーにより少なくとも部分的に覆われ得る。フローティングレイク１のリム４は、浮きシステム５(図３及び５−７に示されている)を有し得る。この浮きシステム５は、フローティングレイク１内に正圧を発生させて浮力を与え、フローティングレイク１内の水面を維持することを可能にしている。この浮きシステム５は、又、フローティングレイク１の外縁に安定性を与えて、フローティングレイク１が、これの表面形状を維持することを助け得る。浮きシステム５は、フローティングレイク１の外縁に沿って分布されている複数の浮き要素、もしくは、フローティングレイク１の外縁を囲んでいる１つの連続している浮き要素を有し得る。この浮きシステム５は、ライナー２００に取着され得る、及び／又は、図５−７に示されているようにライナー２００に少なくとも部分的に覆われている。浮きシステム５は、更に、フレーム構造体１５に取着され得る。
【００４０】
フローティングレイク１のリム４又は側壁３に沿った前記浮きシステム５は、ポリウレタン系と、押し出しポリスチレン及び発泡ビードポリスチレンのようなポリスチレン系と、ホリエチレン系と、エアチャンバ、ゴムエアバック、又は、ビニールエアバックのような空気充填システムと、プラスチック、フォーム、ゴム、ビニール、樹脂、コンクリート、アルミニウム、及び、異なる種類の木材のような他の適切な材料により構成されたシステム、等、のような異なる浮き材及び部品を有し得る。商業的に入手可能な浮き材の例は、Royalex(登録商標)(ビニール及び硬アクリロニトリルーブタジエンースチレンのプラスチック(ＡＢＳ)の外層と、ＡＢＳフォームの内層との複合材)、発泡スチレン、及び、Ethaform(登録商標)のような高性能押し出し独立気泡ポリエチレンフォームである。
【００４１】
前記浮き部材のサイズとタイプとは、フローティングレイク１の体積と、フローティングレイク１内に溜められる水の量と、浮き部材により与えられる所望の浮力に基づいて決定され得る。例えば、浮きシステム５は、フローティングレイク１が、高い内圧で平坦な浮きを維持するために(即ち、周りの水域の底に当たらないように)、フローティングレイク１に充分な浮力を与えるようにサイズが設定され得る。代わって、浮きシステム５とフローティングレイク１の深さとは、フローティングレイク１の底の少なくともある部分が、周りの水域の底と接触するように、デザインされ得る。
【００４２】
一実施の形態では、更なる形態がフローティングレイク１に加えられ得る。例えば、フローティングレイク１のリム４は、ビーチ、歩道、遊歩道、プロムナード、ポンツーン、手すり、傾斜した入口システム、及び／又は、幾種かの他の設備を有するように、構成され得る。モジュール又は固定された設備であり得る浮きドック、浮きプラットホーム、ポンツーン、等のような他の形態が、オプションでフローティングレイク１の外縁又は内縁に装着され得る。
【００４３】
フローティングレイク１は、周りの水域内の所定の位置に留められ、又は、固定され得る。例えば、フローティングレイク１は、周りの水域の底にアンカーで留められ、及び／又は、周りの水域の岸に固定又はアンカー留めされ得る。実施の形態において、フローティングレイクの底及び/又は側壁は、潮流、風、潮、又は、周りの水域及び環境の特定の天候状態に対して対処するように周りの水域の底に留められている。フローティングレイク１は、複数のアンカーポイント２１０を有し得る。図３に示されているように、これらアンカーポイントから、フローティングレイクは、周りの水の底の、又は、岸に沿って対応したアンカーポイント又はアンカーに線材２２０により繋がれ得る。アンカーポイント２１０の数と場所とは、フローティングレイク１のサイズと、周りの水のサイズ及び状態(例えば、代表的な天候、潮、及び、潮流)とに基づいて決定され得る。これらアンカーポイント２１０は、補強され得、又、如何なる適切な材料、例えば、プラスチック、金属、コンクリート、及び、これらの組合せにより形成され得る。一実施の形態に係われば、フローティングレイク１をアンカーに接続する線材２２０は、調節され及び／又は延ばされ得る。これにより、ニーズに対応して汎用性が増す。例えば、周りの水域で早くなった潮流、又は、高くなった波が観測された場合には、線材の長さは、この力が、フローティングレイクの材料にストレスをかけるのを防止するように、手動又は自動で長く(又は、短く)され得る。
【００４４】
一実施の形態では、フローティングレイク１は、フローティングレイク１のリム４に沿った本土に装着されるようにデザイン及び構成されている。図９Ａに見られ得るように、フローティングレイク１は、直接に、又は、デッキシステム１０により、本土に留められ得る。このデッキシステムは、本土からフローティングレイクシステムに人々が適切かつ安全に入るようにしている。他の実施の形態では、図９Ｂに見られるように、フローティングレイク１は、本土から離間されており、周りの水域の岸部から離れて位置されている。フローティングレイク１は、デッキ／ブリッジシステム１１により本土に接続され得、又、本土からフローティングレイクシステムへ人々が安全かつ適切に入ることを可能にしている。他の実施の形態では、フローティングレイクシステムは、本土に接続されていなく、自然又は人工の周りの水域を介してアクセスされ得る。実施の形態において、本土からフローティングレイクへの入口は、本土をフローティングレイクに接続する１又は複数のドック及び橋により与えられる。
【００４５】
一実施の形態に係われば、正圧が、フローティングレイク１内に与えられる。フローティングレイク内のこの正圧は、フローティングレイク１に収容されている水が、底２又は側壁３に穿孔又は損傷があった場合に回りの水により汚染されないようにすることを確実にするためと、フローティングレイク１の形状を維持する助けをすることとのために、使用され得る。フローティングレイク内の正圧は、水がフローティングレイク１内から周りの水域の中に出ることを可能にしている。この結果、フローティングレイク１内の水は、汚染されない。フローティングレイク１の底２又は側壁３の損傷のときに、正圧を維持するために、水が、フローティングレイク１内の正圧を維持する割合でフローティングレイク１の中に加えられ得る。
【００４６】
一実施の形態に係われば、正圧は、フローティングレイク１内の水の水面６を周囲の水域の水面１００よりも高く維持することにより、即ち、フローティングレイク１に水を僅かに過充填することにより、フローティングレイク１内に維持され得る。このような過充填をしなくても、フローティングレイク１は、これの通常の形状と体積(容積)とを維持するかもしれない。しかし。フローティングレイクの底２と側壁３とは、可撓性の材料により形成されているので、フローティングレイク１が、過充填されたときに、水の重量により材料が曲がる可能性がある。この材料の曲がりは、所望の正圧を依然として保ちながら、フローティングレイク１内の水の実際の水面を周りの水の水面よりも低くくか同じにする可能性がある。
【００４７】
実用上、水面は、周りの水の水面とほぼ等しいけれども、水面の理論的上昇は、所望の正圧を発生させるように、必要とされる付加の水量(volume)を計算するために使用され得る。例えば、フローティングレイク内の水の水面が、周りの水の水面よりも２mm高くすることが望まれている場合には、高い水面にする水量(above-water-level volume)が、水面の上昇高さに水の面積をかけることにより、計算され得る。しかし、実用上、フローティングレイク１の側壁３の可撓性により、即ち、周りの水からフローティングレイクの容量室を分離している構成により、高い水面にする水量が加えられたときに、フローティングレイク１の側壁が広がって、フローティングレイク内の水の実際の水面が、周りの水の水面よりも低いか等しくなる。
【００４８】
好ましい実施の形態では、前記正圧は、穿孔又は他の損傷の場合に、周りの水からフローティングレイク１に水が入るのを防止するためには、フローティングレイクの内面で少なくとも１平方メートル当たり約２０ニュートン(N/m2)であることが好ましい。他の実施の形態では、前記正圧は、少なくとも約１０N/m2、約１５N/m2、約１８N/m2、約２５N/m2、又は、約３０N/m2である。少なくとも２０N/m2の正圧が、周りの水面よりも高い水量を生じさせ、フローティングレイク１内の水の水面６を周りの水域の水面１００よりも約２mm高く維持するのと同等である。前述されたように、水位の増加は、理論的であり、又、現実的に、フローティングレイク１の側壁３と底２は、過度の水量を許容するように可撓性であり、フローティングレイク１の水位と周りの水域の水位とは同じになる。かくして、前記正圧は、自然(曲げられていない)状態でのフローティングレイク１の最初の水量を超えている過度の水量に基づいてなされ得る。前記正圧は、ポンプシステムにより所望の圧力を維持する要求に従って、ポンプでフローティングレイクの中に水を圧送することにより、フローティングレイク１内で維持され得る。例えば、正圧は、７日間の時間内の５０％よりも少なくない時間の間に水をポンプにより圧送することにより維持され得る。好ましくは、正圧は、フローティングレイク内で連続して維持される。フローティングレイク１内の比較的高い内圧は、浮きシステム５により与えられる浮力と均衡が保たれている。一実施の形態に係われば、浮きシステム５のサイズと、浮き部材により与えられる浮力とは、過度の水量による正圧と、フローティングレイクの上又は外縁上の使用者及び器具とにより与えられる荷重に対応するように設定される。浮きシステム５のサイズと形状とは、結果としての荷重を考慮して、これの浮力を変えるために、(浮き材を付加又は除去することにより)調節され得る。
【００４９】
一実施の形態に係われば、フローティングレイク１は、コーディネートシステム(coordination system)を有し得る。このコーディネートシステムは、水質及び物理化学的パラメータについての情報を受け、この情報を処理し、そして、事前に設定された制限内に、水質パラメータ及び他の物理化学的パラメータを維持するように活性化処理をすることができる。フローティングレイクは、所定の範囲内に、フローティングレイク内の水の質と他の物理化学的パラメータとを維持するためのコーディネートシステムを有し得る。このコーディネートシステムは、夫々異なるプロセスの動作を活性化させることができ、これは、情報を受けるコーディネートアッセンブリ及び制御ユットで自動的、又は、手動で情報を受ける及び／又は処理することにより手動的になされ得る。
【００５０】
オプションとしての実施の形態で、前記コーディネートシステムは、フローティングレイクの中及び近くに配置される複数のセンサを有し得る。これらセンサからの情報は、情報を処理するコンピュータに手動的又は自動的に入力され得る。コーディネート手段は、人により実行される情報を単に与え得るか、又は、修正アクションを、自動的に指示することができる。
【００５１】
図５に示されている例示的な実施の形態に係われば、前記コーディネートシステムは、(例えば、フローティングレイク１内及び近くと周囲の水と水域とされたセンサから)情報を得る及び／又は受けて、受けた情報に基づいて情報を処理及び／又はプロセスを駆動させる(自動的に、インストラクションを与えるか、前記プロセスを駆動させることにより)ことができるコーディネート手段２０を有している。このコーディネート手段２０は、コンピュータのような制御ユニット２２と、センサのような少なくとも１つのモニター装置２４とを有している。センサは、酸化還元電位(ＯＲＰ)メータ、濁度メータ、又は、水質パラメータを測定するための他の装置であり得る。他の実施の形態に係われば、コーディネートアッセンブリ２０は、２つ以上のモニター装置２４を有し得る。このコーディネートアッセンブリ２０は、又、ｐＨ、アルカリ度、硬度(カルシウム)、塩素、及び、微生物増殖、等のような他の水質パラメータのための追加のモニター装置２４を有し得る。
【００５２】
異なる実施の形態に係われば、前記コーディネートシステムは、情報を手動で入手及び／又は受入れ及び／又は処理するため、もしくは、水質バラメータ及び／又は他の物理化学的パラメータを維持するためのプロセスを活性化及び／又は果たすために１又は複数の人に交代され得る。これらプロセスは、特に、水処理のための化学物の添加、及び／又は、可動吸引装置の駆動を有し得る。
【００５３】
一実施の形態に係われば、前記コーディネートシステムは、自動化システムを有し得る。この自動化システムは、水質パラメータ及び／又は物理化学的パラメータを連続して、又は予め設定された時間間隔で、モニターして、１又は複数のシステムを駆動するようにプログラミングされ得る。例えば、自動化システムは、所定の値の混ざり(crossing)を検出したときに、水を処理するための化学物質の添加を開始させ得る。異なる実施の形態に係われば、前記コーディネートシステムは、水質パラメータの経験又は視覚による決定に基づいて処理用の化学物質の添加を手動で制御することを含んでいる。
【００５４】
フローティングレイク１は、水に処理用の化学物質を添加するためのシステムを有し得る。図５に示されている実施の形態に係われば、処理用の化学物質を添加するためのシステムは、化学物質適用システム３０を有している。この化学物質適用システム３０は、自動的にされ得、コーディネートアッセンブリ２０の制御ユニット２２により制御され得る。
【００５５】
図６に示されている異なる実施の形態に係われば、前記化学物質適用システム３０は、水質パラメータに基づいて手動で動作及び開始され得る。例えば、水質パラメータは、経験に基づいて、又は、センサを使用することにより、アナゴリズム仕様のような視覚又は分析による仕様で、手動で得られ得る。水質パラメータについての情報は、手動で処理され得るか、又は、処理装置(例えば、コンピュータ)に入力され得る。水質パラメータについての前記情報に基づいて、前記化学物質適用システム３０は、例えば、スイッチを駆動することにより、手動で駆動され得る。
【００５６】
前記化学物質適用システム３０は、その場で、又は、遠隔接続によって(例えば、インターネットを介して)、動作され得る。ここでは、情報は、中央処理ユニットに送られ遠隔接続を介してアクセスされ得、化学物質適用システム３０を動作させ得る。
【００５７】
前記化学物質適用システム３０は、少なくとも１つのリザーバと、化学物質を添加するためのポンプと、吐出装置とを有し得る。化学物質適用システム３０は、酸化剤、及びその他のような、異なる処理用化学物質を収容する複数の化学リザーバを有し得る。前記ポンプは、前記制御ユニット２２からの信号によるか、もしくは、その場でか、又は、遠隔によるスイッチの手動での駆動により駆動され得る。前記吐出装置は、インジェクター、スプリンクーラ、デイスペンサー、パイプ、又は、これらの組合せのような、適切な吐出機構を有し得る。
【００５８】
図７は、化学物質が、手動によるか、別の化学物質適用メカニズムを使用することにより、水の中に添加され得る他の実施の形態を示している。例えば、水質パラメータは、手動によるか、視覚によるか、センサを使用することにより、得られ得る。又、水質パラメータについての情報は、手動で、又は、処理装置(例えば、コンピュータ)に入力されることにより、処理され得る。この水質パラメータについての情報に基づいて、化学物質が、手動により水の中に添加され得る。
【００５９】
フローティングレイク１の底２は、移動可能な吸引装置４２を使用して清掃され得る。この吸引装置は、底２から溜っている粒子を除去するように、フローティングレイク１の底２に沿って移動可能である。フローティングレイク１の底２は、水に魅力的な色付けをし、又、底２に見られる溜った物質と破片との堆積を避けるために、間欠的に清浄され得る。代表的には、移動可能な吸引装置４２は、２０GPaまでのヤング率を有する可撓性の底２を清浄することができる。
【００６０】
又、このフローティングレイク１は、代表的には、濾過システム４０を有している。一実施の形態に係われば、フローティングレイク内の水を一部のみ濾過することにより、所望の水質範囲内に水質と物理化学的パラメータとを維持するのに充分である。図５乃至７に示されているように、濾過システム４０は、少なくとも１つの移動可能な吸引装置４２と、これに関連した濾過装置４４とを有している。移動可能な吸引装置４２は、破片、粒子、固形物、綿状沈殿物、綿状に固まった物、及び／又は、底２に溜った他の不純物を含んでいる、水の一部を吸引するように、構成されている。フローティングレイク内の水の一部を吸引して濾過することにより、フローティングレイク内の全体の水を濾過する濾過システム無しで、所望の水質が得られる。これは、１日当たり１乃至６度の全体の水を濾過する必要がある一般的なスイミングプール濾過技術とは異なっている。
【００６１】
一実施の形態に係われば、前記移動可能な吸引装置４２は、フローティングレイク１の底２に沿って移動することができる。しかし、破片、粒子、固形物、綿状沈殿物、綿状に固まった物、及び／又は、底２に溜った他の不純物の除去の効率を最大にするために、移動可能な吸引装置４２は、これの移動が沈んでいる物質の分散を最小にするように、構成され得る。実施の形態では、この移動可能な吸引装置４２は、吸引装置の動作の間に、沈んでいる物質の実質的な部分をフローティングレイク１の底２から再分散する機能を有している回転ブラシのような部品を有していないように、構成されている。
【００６２】
移動可能な吸引装置４２の動作の始動は、制御ユニット２２を備えたコーディネートシステムによるか、又は、操作者による手動で、制御され得る。図５に示されている実施の形態では、移動可能な吸引装置４２の動作の開始は、制御ユニット２２により制御される。図６及び７は、移動可能な吸引装置４２が、例えば、スイッチを駆動するか駆動メッセージを送るかにより、手動で駆動される夫々異なる実施の形態を示している。
【００６３】
前記移動可能な吸引装置４２は、ポンプを有し得るか、又は、分かれたポンプ又はポンピングステーションが、水を吸引して、吸引した水を濾過装置に圧送するように設けられ得る。この分かれたポンプ又はポンピングステーションは、フローティングレイク１の外縁に沿ってフローティングレイク１の中にか、又は、フローティングレイク１の外に、例えば、周りの水域の岸に沿って、配置され得る。
【００６４】
前記移動可能な吸引装置４２は、前記濾過装置４４と、流体接続されている。濾過装置４４は、カートリッジフイルター、サンドフイルター、マイクロフイルター、ウルトラフイルター、ナノフイルター、又は、これらの組合せのような１又は複数のフイルターを一般的に有している。移動可能な吸引装置４２は、代表的には、可撓性のホース、硬いホース、パイプ、等を含んでいる収集ライン４３により濾過装置４４に接続されている。この濾過装置４４は、フローティングレイク１の外縁に沿ってフローティング設備内にか、又は、周りの水域の海岸線に沿って、配置され得る。この濾過装置４４のキャパシティは、前記移動可能な吸引装置４２のキャパシティに一般的に合わされている。濾過装置４４は、フローティングレイク内の水の少ない一部に対応している、移動可能な吸引装置から流れる水を濾過する。濾過装置４４により濾過された水は、可撓性のホース、硬いホース、パイプ、開口チャンネル、等を含んでいる戻しライン６０によりフローティングレイクに戻される。実施の形態において、濾過システムは、浮いて、又は陸上に配置されている。
【００６５】
１日当たり１乃至６度のプール内の水の全部を濾過するキヤパシティの一般的な濾過装置と比較して、本願の濾過装置４４は、通常の装置の約１／１０、通常の装置の約１／３０、通常の装置の約１／６０、通常の装置の約１／１００、又は、通常の装置の約３００／１の濾過キャパシティを有するように構成され得る。これは、約１：１０、約１：２５、約１：５０、約１：７５、約１：１００、約１：１０、約１：２００、又は、約１：３００の範囲内の１日当たりの濾過キャパシティに相当している。濾過装置の消費エネルギーは、おおまかにはサイズに比例している。このために、かなりのコスト削減が、濾過プロセスのための比較的小型の設備が要求され、低エネルギー消費により期待され得る。
【００６６】
一実施の形態では、前記移動可能な吸引装置４２は、水面下の可撓性の底を清浄するように適用される磁気システムを有し得る。可撓性の底を備えたフローティングレイクの改善された清浄は、反対の磁気部品を有している底の材料に取着され得る移動可能な吸引装置によりなされ得る。図８に示されているように、磁気システムを備えている移動可能な磁気吸引装置４２０は、内側部品４３０と外側部品４３５とを有している。内側の部品４３０は、フローティングレイク１内の水と接触するようにして、フローティングレイク１の内側でフローティングレイク１の底２上に配置されている。この内側の部品４３０は、吸引装置４３１を少なくとも有し得る。外側の部品４３５は、周りの水と接触するようにして、フローティングレイク１の外側に配置されている。
【００６７】
この磁気システムは、互いに引きつけ可能な２つ以上の磁気部品４３２，４３６を有し得る。これら磁気部品４３２，４３６は、互いに反対の磁場を有しているか、又は、磁気部品の少なくとも１つが磁場を有し、１又は複数の磁気部品が、強磁性体(即ち、磁場に引かれる)であり得る。吸引装置４３１を備えた移動可能な吸引装置４２０の内側の部品４３０は、第１の磁化された部品４３２を有している。第１の磁化された部品４３２を備えている内側の部品４３０は、フローティングレイク１の底２の内面に沿って位置されている。前記外側の部品４３５は、底２の外面に位置され、周りの水と接触している第２の磁化された部品４２６を有している。これら第１及び第２の磁化された部品４３２，４３６は、磁気吸引力が、第１及び第２の磁化された部品４３２，４３６のアラインメントを維持するように、フローティングレイク１の底２に沿った対応箇所にアラインメントされている。かくして、この磁気システムは、移動可能な吸引装置４２０をフローティングレイク１の可撓性の底２に沿って維持可能である。移動可能な吸引装置４２０の内側及び外側部品４３０，４３５は、ブラシ、ローラ、トラック、トレッド、又は、移動可能な磁気吸引装置４２０を底２に沿って推進させるための他の機構を有し得る。
【００６８】
一実施の形態では、前記内側の部品４３０は、フローティングレイク１の底２に沿って推進される。第１及び第２の磁化された部品４３２，４３６間の相互作用により、外側部品４３５は、これが、内側の部品４３０に隣接し続けるように、これに沿って引き付けられる。異なる実施の形態では、外側の部品４３５を引き付ける内側の部品４３０の代わりに、外側の部品４３５が底２の外面に沿って推進され、内側の部品４３０と吸引装置４３１とを一緒に引き付ける。これは、例えば、トラック、トレッド、又は、底２の外面に沿って外側の部品４３５がゆっくりと進むことを可能にする他の形態を有し得る推進システムを底の外面に設けることにより、なし得る。
【００６９】
他の実施の形態で、移動可能な吸引装置４２は、フローティングレイクの底を通るように動く可撓性の移動可能な吸引手段を有しており、ここで、フローティングレイク１は、移動可能な吸引装置が移動する安定した底を形成している。前記可撓性の移動可能な吸引手段は、底を全体に渡って清浄するために、可撓性を有する安定した底に適用され得る。
【００７０】
実施の形態において、フローティングレイクの底は、クッション形式のシステム、フレーム構造体、複数の層、複数のチャンバ、又は、これらの組合せのような、吸引装置の動作に安定性を与えるシステムを有している。実施の形態において、フローティングレイクの底は、安定した底を形成可能なように、１又は複数のクッション性を有するセルを有している。更なる他の実施の形態において、フローティングレイク１の底２は、層構造を有している。図１１Ａ及び１１Ｂで見られ得るように、例示的な実施の形態では、層構造は、層間に保持された空気、水、又は、他の液体で満たされたクッション状の材料のような層状材料を有している。これは、フローティングレイク内の水と周りの水との間で、水又は空気を含む特別なクッション１６として機能する。このクッション１６は、安定性があり、又、例えば、吸引装置のより効率的な動作を可能にしている底を形成している。このクッションには、発泡可能なフォーム材が、又、充填され得る。
【００７１】
他の実施の形態で、ライナーは、フローティングレイク１の底２に沿ってライナー内に分布された一連の膨張可能なセクション１７を含んでいる。図１２Ａに示されているように、膨張可能なセクション１７は、底に取着されており、又、膨張可能なセクション１７が、膨張可能なセクション１７の形態及び製造に応じて、底２から上方(図１２Ｂ)又は下方（図１２Ｃ）に広がるように膨張され得る。これら膨張可能なセクション１７は、フローティングレイクの平坦な底への悪影響を避けるために、周りの水域側で(図１２Ｃに示されているように)底の外側に形成されることが、強調されている。
【００７２】
前記膨張可能なセクション１７は、種々の形状をとり得る。一実施の形態では、これらセクションは、ほぼ矩形であり、ライナー２００の全表面エリアを覆っており、夫々のセクションを分けている。しかし、他の実施の形態では、膨張可能なセクション１７は、吸引装置４２の動作を効果的に支持し、又、外力に耐えるために、必要に応じて他の形状、例えば、三角形又は六角形である。膨張可能なセクション１７は、又、膨らませられる必要がある表面面積を減じるように、種々の形状の外縁を形成するチューブの形態をとり得る。セクションの膨張は、如何なる一般的な方法で、例えば、永久的又は必要に応じて１又は複数のポンプに接続される一体的な膨らまし導管を備えたライナー２００を設けることにより、なされ得る。多くの実施の形態で、膨張可能なセクション１７は、空気で膨張され得るけれども、より純粋の気体又は液体、又は、周囲の水よりも密度が低い流体のような他の流体が使用され得る。また、複数のセクションで異なる浮力を生じさせるように、複数の膨張可能なセクション１７のうち幾つかの膨張可能なセクション１７が、１種類の液体又は気体で充填され、他のものが、他の種類の液体又は気体で充填され得るか、複数の膨張可能なセクション１７が液体と気体(例えば、水と空気)の混合物で充填され得る。
【００７３】
前記膨張可能なセクション１７は、設置されている間、永久的に膨張されるか、又は、必要とされたときに、選択的に膨張され得る。例えば、膨張可能なセクション１７は、前記吸引装置４２の重量及び移動を支えるのに充分な安定性を底に与えるように、永久的又は選択的に膨らませられ得る。選択的に膨張され得るセクションの他の使用は、所定の力か、例えば、嵐又は大型船により発生される強い風又は高い波が予想されるときに、なされ得る。
【００７４】
膨張可能なセクション１７を備えたライナーは、又、比較的大型の構造に組み込みられ得る。このような大型の構造は、膨張可能なセクション１７が、ライナー２００の更なる層を有している厚いライナー２００であり得る。他の層は、これらの自身の膨張可能なセクション１７を有していても、有していなくても良い。１又は複数の他の層が、膨張可能なセクション１７を有している場合には、セクションは、夫々追加の膨張可能なセクション１７とアラインメントされ得る。又、底のライナー２０２は、底の材料にテンションをかけ、又、アンカーシステムを与えることを可能にするように、剛性の構造体(例えば、フレーム構造体１５)に取着され得る。
【００７５】
このフローティングレイク１は、又、浮遊物除去システム(skimming system)５０を有し得る。この浮遊物除去システム５０は、浮遊している屑、油、及びグリースを水から分離するように使用され得る。図５乃至７に示されているように、浮遊物除去システム５０は、分離システム５４と流体接続されており、フローティングレイク１の水面の水を取り除くスキマー５２を有し得る。このスキマー５２は、通常は、分離システム５４に、可撓性チューブ、剛性のチューブ、パイプ、開口チャンネル、等を有する接続ライン５３により接続されている。フローティングレイク１の底２にある不純物と比較すると、取り除かれる水の中の不純物(例えば、油、グリース、及び、浮遊屑)の性質及び品質は、異なっているので、取り除かれた水は、一般的に、濾過される必要が無い。このために、一実施の形態に係われば、前記分離システム５４は、油及びグリースを水から分離するためのデイグリーサー(例えば、オーバーフロー装置)と、屑を分離するためのスクリーン又は粗いフイルターとを有している。分離システム５４からの水は、戻しライン６０を介してフローティングレイクに戻され得る。この戻しライン６０は、前記濾過システム４０からの戻しラインとは、別でも同じでも良い。一実施の形態に係われば、浮遊物除去システム５０は、フローティングレイク１の外縁に沿って互いに離間され得る複数のスキマー５２を有している。図５は、複数のスキマーを表すに、１つのスキマー５２と、仮想線で示されている第２のスキマー５２とを示している。浮遊物除去システム５０の動作は、好ましくは連続しているけれども、交互に間欠的でも良い。浮遊物除去システム５０の動作は、制御ユニット２２(図５)、又は、手動(図６)で制御され得る。
【００７６】
フローティングレイクの動作
一般的に、フローティングスイミングプールは、共同的では無く、市場で見受けられるフローティングプールは、小さいサイズであり、スイミングプールとして使用されている。一般のフローティングスイミングプールは、化学物質の高く不変のレベルと、１日に１乃至６度の全体の水の濾過とが必要である、スイミングプールの基準に従って、代表的には建設され、かつ運営されている。本願発明のフローティングレイクへの一般のスイミングプールの技術の適用は、以下の２つの主な問題を提起し得る。これら問題は。(１)化学物質の高い使用度と及び、一般の中央濾過システムを使用して１日１乃至６回の全水の濾過により、多量の水をスイミングプール技術に与える高コストと、(２)フローティングレイクの底及び側壁の損傷の場合に生じる恐れのある危険とである。メンテナンスの異なる技術及び方法が、一般のスイミングプール技術の使用で、高化学物質含有の水は、水との生活、及び、海洋又はフレッシュな環境に悪影響を及ぼす、周りの水域への潜在的な放出のために、大きいフローティングレイクでの衛生上の基準を維持するために、使用されなければならない。このために、一般のスイミングプールの技術の使用は、エネルギーをセーブし、又、周りの水域の生態系を守るために、避けられなければならない。
【００７７】
一実施の形態に係われば、水質と物理化学的状態とは、処理用の化学物質の添加することと、破片、粒子、固形物、綿状沈殿物、綿状に固まった物、及び／又は、フローティングレイクの底からの他の不純物を、水質パラメータ及び／又は物理化学的状態に従って除去すること含んでいる処置によりフローティングレイク１内で維持される。フローティングレイク１での水質は、例えば、特に、酸化還元電位(ＯＲＰ)、濁度、ｐＨ、アルカリ度、硬度(カルシウム)、塩素、及び、微生物増殖のような特定のパラメータについて得られ得る。化学物質適用システムが、設定された制限内に水質パラメータを維持するために、コーディネートシステムによりタイムリーに駆動さけ得る。このシステムは、少量の化学物質の適用と、普通のスイミングプールの水処理よりも少ないエネルギーを使用する実際の必要性に基づいて駆動され得る。
【００７８】
幾つかの実施の形態で、水質パラメータは、水質メータ(例えば、ｐＨプローブ、濁度メータ、塩素メータ、又はＯＲＰメータ)を使用することにより、又は、サンプルを入手して解析方法を使用して水質を測定することにより、視覚に基づく検査で、手動により得られ得る。水質パラメータについての情報は、コーディネートシステムにより入手され得るか、これに入力され得る。一実施の形態では、自動化コーディネートシステムは、所定のパラメータに対して結果を比較して、パラメータが、クロスされている場合には、１又は複数の装置を駆動するように、連続してか、予め設定された時間間隔で水質パラメータをモニターするように、プログラミングされ得る。例えば、自動化システムは、所定のパラメータがクロスされているときに、処理用の化学物質の添加、又は、濾過システムの動作を促進し得る。異なる実施の形態で、水質パラメータは、手動で入手可能であり、そして、コーディネートシステムに入力された情報、又は、結果は、所定の値と比較され得、処理用の化学物質の添加が、手動でなされ得る。フローティングレイクの水質を維持するために使用される処理用の化学物質は、如何なる水質処理用の化学物質をも含み得る。例えば、処理用の化学物質は、酸化剤、凝集剤、凝固薬、殺藻剤、殺菌剤、又は、ｐＨ調整剤を含み得る。好ましい実施の形態に係われば、処理用の化学物質は、酸化剤と、凝集剤とである。
【００７９】
前記水質パラメータは、フローティングレイクの要求に従って、連続して、又は所定の時間間隔で入手可能である。一実施の形態では、水のＯＲＰ(又は、他の水質パラメータ)は、センサのようなモニター装置２４(図５のシステム)によるか、又は、経験に基づいたアルゴリズム又は視覚的な検査(図６及び７のシステム)のような経験的な、又は分析する方法により決定される。
【００８０】
フローティングレイクでの水のＯＲＰは、所望の水質を有する水を与えるために、５２時間サイクル内の最小の時間間隔で、最小ＯＲＰに維持される。酸化剤が、５２時間サイクル(例えば、処理サイクル)内の最短時間間隔て最小値よりも上にＯＲＰを維持するように、フローティングレイク内の水に与えられる。幾つかの実施の形態では、ＯＲＰのレベルは、約５５０mV又はこれ以上に維持される。このような最小のＯＲＰレベルは、殺菌をするためには、スイミングプールで代表的には維持されるＯＲＰレベルよりもはるかに低い。５２時間サイクル内のＯＲＰ処理時間は、連続、間欠、又は不連続であり得る。幾つかの実施の形態では、最小の時間間隔は、５２時間サイクル内で約１０乃至約２０時間である。ＯＲＰレベルを連続して、即ち、２４時間／日で維持することは、可能であるけれども、ＯＲＰレベルは、又、特定の期間だけ、例えば、前記最小の時間間隔、前記最小の期間の２倍、もしくは、ＯＲＰレベルが維持されていない４，６，８，１０、又は、１２時間、間隔を開けた期間、のみ維持され得る。前記酸化剤は、ハロゲン系化合物、過マンガン酸塩、過酸化物、オゾン、過硫酸ナトリウム、過硫酸カリウム、電解方法により製造されたオキシダント、又は、これらの組合せから選ばれ得る。
水に添加される酸化剤の量は、事前に決定され得るか、又は、測定されたＯＲＰと水のＯＲＰの所望の増加とに基づいて、(例えば、図５に示されている制御装置２２か、手動により)決定され得る。
【００８１】
水の濁度は、又、フローティングレイク１内での水質を維持するために、モニターされ得る。凝集剤及び／又は凝固剤が、懸濁されている固形物、有機物、無機物、バクテリア、藻類、等を、フローティングレイクの底に溜る粒子へと、凝集、凝固、合体、及び／又は、凝析するように添加され得る。例えば、凝集剤が、濁りを生じさせる有機物及び無機物のような懸濁されている固形物を凝集して、移動可能な吸引装置により除去され得る粒子の前記溜りを助長させるために、水に添加され得る。一般的に、凝集剤及又は凝固剤は、化学物質適用システムにより水中に適用又は分散される。適切な凝集剤又は凝固剤は、四級アンモニウム含有ポリマー、及び多陽イオンポリマー(例えば、ポリクオタニウム)のような合成ポリマー、陽イオン及び陰イオンポリマー、アルミニウム塩、アルミニウム塩酸塩、明ばん、アルミニウム硫酸塩、酸化カルシウム、水酸化カルシウム、硫酸鉄、塩化鉄、ポリアクリルアミド、アルミン酸ナトリウム、珪酸ナトリウム、キトサン、ゼラチン、グアールガム、アルギナート、モリンガの種、胡椒誘導剤、又は、凝集特性を有する他の成分、及び、これらの組合せ、を含んでいるが、これらに限定されるものではない。
【００８２】
一実施の形態で、凝集剤の添加は、水の濁度が、２ＮＴＵ(ネフェロ分析濁度ユニット)、３ＮＴＵ、４ＮＴＵ、又は５ＮＴＵのような所定の濁度を超える前になされる。前記コーディネートシステムは、水の濁度が、有機物及び無機物の凝集及び溜りを生じさせるために、所定値を超える前に、凝集剤及及び／又は凝固剤の添加を促すように、使用され得る。綿状沈殿物が集まり又は溜っている水の一部分は、一般的には、フローティングレイク１の底２に沿った水の層である。綿状の沈殿物は、フローティングレイク１の底２に溜り、かくして、フローティングレイク１内の全ての水を濾過する必要が無く、例えば、水の僅かな部分のみを濾過するだけで、移動可能な吸引装置４２により除去可能である。濾過される「水の僅かな部分」は、フローティングレイクの総量の１日当たり、約３０%未満、約２５%未満、約２０%未満、約１５%未満、約１０%未満、約９%未満、約８%未満、約７%未満、約６%未満、約５%未満、約４%未満、約３%未満、約２%未満、約１%未満、約０．９%未満、約０．８%未満、約０．７%未満、約０．６%未満、約０．５%未満、約１０%未満、約９%未満、約８%未満、であり得る。水に添加される凝集剤の量は、予め決定され得るか、もしくは、濁度、又は水の所望の濁度の減少に基づいて、(例えば、図５に示されている制御装置によるか、手動により)決定され得る。水処理のための化学物質は、又、好ましくは、殺藻特性を有し得る。
【００８３】
酸化剤又は凝集剤のような水処理のための化学物質の投与は、フローティング構造物の底又は側壁の破損の場合に、又は、フローティングレイク内に収容されている水が、他の何らかの理由のために周りの水域の中に移された場合に、周りの水域に汚染又は有害を生じさせる可能性を考慮してなされ得る。
【００８４】
粒子、固形物、綿状沈殿物、凝縮物、及び／又は、フローティングレイク１の底２にある他の不純物の溜りは、フローティングレイク１の底２の色度を変える恐れがある。例えば、溜った不純物は、底２の色をもとの色よりも暗く見せる場合がある。この方法に係われば、フローティングレイク１の底２の色は、モニターされて、色が所定の程度に変わっている場合には、フローティングレイク１の底２からの水と不純物との吸引が開始される。実施の形態において、フローティングレイク１の底の色は、経験、視覚測定、自動装置により決定されている。経験に基づいたアルゴリズム、視覚検査、自動装置、等のような、経験的又は分析方法により得られ得る測定又は感知された色は、底２の実際の色から特定の色成分(例えば、ブラック)が増加するような、所定の値と比較され得る。
【００８５】
底２の色の状態において、用語「底」は、底２の上方から見ることができる底２の最も上側の層の表面についてであることは、当業者は容易にわかるであろう。
【００８６】
例示的な実施の形態において、フローティングレイク１の底２の色は、ＣＭＹＫ又は他の適切なカラースケールでのブラック成分の変化としてモニターされ得る。ＣＭＹＫカラースケールは、パーセントで表された４色、即ち、シアン、マゼンタ、イエロー、ブラックを使用している。例えば、１５%。０%、２５%、並びに、３６%は、１５%のシアン構成と、０%のマゼンタ構成と、２５%のイエロー構成と、３６%のブラック構成成分との色を表している。フローティングレイクの底のブラック構成は、フローティングレイクの底の色をＣＭＹＫ表又はカラーパレットと視覚で比較し、ＣＭＹＫ表で見られるパーセントに従ってブラック構成を決定することにより、アクセスされ得る。代わって、他の色構成が使用され得る。
【００８７】
Ｌ＊ａ＊ｂ＊(又、Ｌａｂ、即ちＣＩＥＬＡＢとして知られている)、Ｘ−Ｙ−Ｚ、ＲＧＢ、ＨＥＸのような他のカラースケールが、又、使用され得る。Ｌ＊ａ＊ｂ＊スケールで、色は、３つの軸、即ち、Ｌ、ａ、ｂで示されている。ここで、Ｌ軸は、明度を示している。１００のＬ値は、ホワイトを示し、Ｌ＝０は、ブラックを示している。不純物がフローティングレイク１の底２に溜っており、底２の知覚された色が、Ｌ＝３０に達したときに、移動可能な吸引装置４２の動作が開始される。
【００８８】
一実施の形態に係われば、フローティングレイク１の底２の色は、比色計のようなモニター装置２４を使用して、モニターされる。異なる実施の形態に係われば、フローティングレイク１の底２の色は、フローティングレイク１の底２の色をカラーパレットと比較することによる視覚検査で決定され得る。フローティングレイク１の底２の色は、水面から、即ち、特に濁度が高い(例えば、約７ＮＴＵよりも大きい)ときには、フローティングレイク１の底２の透視を可能にするようにチューブに装着された透明な覗き穴を使用することにより、見られ得る。
【００８９】
フローティングレイク１の底２は、一般には、感じの良い色と、フローティングレイク１内の水に現われるのとを、導く色を有している。実施の形態において、フローティングレイクの底の色は、水に特定の色彩を与える。実施の形態において、底は、フローティングレイクの水に特定の色彩を与える色を有している。例えば、フローティングレイク１の底２は、着色されたものを有し得るか、ホワイト、イエロー、ブルー、又はライトブルーのような色に塗られている。例示的な実施の形態では、フローティングレイク１の底２の色は、コーディネートアッセンブリ２０のモニター装置２４(例えば、色度計)により測定される。フローティングレイク１の底２の認知された色は、経験に基づいたアルゴリズム、視覚的な検査、カラーガイドとの比較、色度計、分光光度計、及び、その他のような経験的又は解析的な方法で実際の又はもとの色に対して比較され得る。
【００９０】
前記移動可能な吸引装置４２の動作は、コーディネートシステムにより、なされ得る。図５に示されている実施の形態では、移動可能な吸引装置４２の動作は、制御ユニット２２によりなされ得る。図６及び７に示されている他の実施の形態では、移動可能な吸引装置４２の動作は、手動によりなされ得る。
【００９１】
一実施の形態に係われば、移動可能な吸引装置４２の動作は、フローティングレイク１の底の色が、所定の色を超える前(例えば、底の色ノブラック構成が、ＣＭＹＫスケール又は他の適切ナカラースケールで３０%を超える前)に開始される。一実施の形態では、移動可能な吸引装置４２の動作は、コーディネートアッセンブリ２０の制御ユニット２２により開始され得る。
【００９２】
フローティングレイク１の底２の色は、前記移動可能な吸引装置４２の動作のエンドポイントを決定するように、更に、モニターされ得る。例えば、フローティングレイク１の底２の色のブラック構成が、所定の値よりも低くなった場合に、移動可能な吸引装置４２の動作は、停止され得る。このような値は、例えば、ブラック構成が、底２の実際の色のブラック構成よりも１０%ユニット高く、５ユニット高く、又は、３ユニット高くなるような値であり得る。例えば、ＣＭＹＫスケールでの底２のもとの色が、１５%、０%、２５%、１０%(ブラック構成は、１０%)であれは、前記値は、２０%ブラック、１５%ブラック、又は、１３%ブラックに設定され得る。この値は、フローティングレイク１の底２の実際の色と、フローティングレイク１の清浄度の所望のレベルに基づいて決定され得る。
【００９３】
大型のフローティングレイクの色は、レイクの全体に渡って何かの複数の所でモニターされ得る。フローティングレイクが、又、複数の吸引装置４２を有しているのであれば、底２は、底２の色が所定の値を超えることを避けるために、エリア毎に選択的に清浄され得る。
【００９４】
前記吸引装置４２は、２０GPaまでのヤング率を有する可撓性の底２を清浄できる移動可能な吸引装置であることが、好ましい。移動可能な吸引装置４２は、水に沿った溜った物質を吸引しながら、フローティングレイク１の可撓性の底２を移動する。そして、吸引された水と不純物とは、不純物を水から分離する濾過装置４４に送られる。吸引装置４２により吸引された水は、ポンプ又はポンプステーションを使用して、濾過装置４４に送られ得る。
【００９５】
吸引かつ濾過の後に、濾過された水は、フローティングレイクの中に戻され得る。フローティングレイクの中への濾過された水の戻しのポイントは、水流のようなポンプによる圧流のためのエネルギーコストを最小にするようにデザインされるべきである。
【００９６】
表面の屑や油は、浮遊物除去システム５０の使用によりフローティングレイクから除去され得る。この浮遊物除去システム５０は、浮遊物除去スキマーを有し得るか、又、フローティングレイク１の外縁に沿って設置され得る。
【００９７】
水が、蒸発のためと、清浄のためにフローティングレイクから失った水のためと、実際の漏れ率とのためとの補償をするために、フローティングレイク１に供給され得る。蒸発の割合は、フローティングレイクの地域での気象状態に依存している。
【００９８】
一実施の形態に係われば、水は、正圧を維持するのと、以下の式に従った清浄、漏れ、及び、蒸発により失った水の代わりとに充分な割合で、フローティングレイク１に供給される。  
交換割合≧蒸発速度＋清浄速度＋漏れ速度
前記交換割合は、フローティングレイク１の側壁３又は底２の損傷により生じる損失を含んでいる漏れによる水に関している。前記清浄速度は、吸引された水の濾過プロセス中に損失される水の速度である。濾過システムは、閉じたシステムであるけれども、可撓性の底２を清浄する移動可能な吸引装置４２により吸引され水は、濾過装置４４に送られてからフローティングレイク１の中に戻されるので、このようなサイクルは、濾過装置の逆流による水の損失を生じさせる可能性があり、又、幾らかの水を、特に、不純物と共に濾材に残す。かくして、清浄速度は、濾過装置の逆流プロセスによる有効な水損失、又は、配管ネットワーク、他のシステム、及び、装備内の僅かな損失のような他の損失に対応している。
【００９９】
このような割合は、単位時間当たりにフローティングレイクに供給される水量で一般的に判る。
【０１００】
フローティングレイク１には、周りの水域からの交換の水が供給され得る。周りの水域からの交換の水は、これがフローティングレイク１に直接に供給され得るか、フローティングレイク１に供給される前に処理される必要があるかを決定するために、分析され得る。例えば、交換の水は、水がフローティングレイク１に直接に供給しても良いかどうかを評価するために、プラチナコバルトカラー標準(Platinum-Cobalt color standard)を使用して分析され得る。プラチナコバルトスケールは、色を１乃至５００+の範囲の標準ナンバーに割り当てる。プラチナコバルトテストは、ＡＳＴＭ要求に従って準備された標準色を有する１００mL試料(目視できる濁りがある場合には予め濾過されている)を比較することからなっている。一実施の形態に従えば、フローティングレイク１のための交換の水は、３０Pt-Coよりも低いトゥルカラーを有している。又、交換の水の微生物水質は、フローティングレイク１の中に供給される前に、又、テストされ得る。好ましい実施の形態では、交換の水は、これを直接にフローティングレイク１に供給するために、２，０００CFU/ml(１ミリメータ当たりのコロニー形成単位)よりも少なく含んでいる。交換の水が、３０Pt-Coよりも高いトゥルカラーを有しているか、又は、周りの水域からの交換の水が、２，０００CFU/ml以上のバクテリアを含んでいる場合には、水は、フローティングレイク１の中に供給する前に、代表的には、前処理される。周りの水域の水が、３０Pt-Coよりも低いトゥルカラーと２，０００CFU/ml以下のバクテリアを含んでいる場合には、水は、フローティングレイクの中に供給する前に、直接に使用され得るか、前処理され得る。他の幾つかの実施の形態では、他のソースからの水が、フローティングレイクのための交換の水として、又、使用され得る。
【０１０１】
他の実施の形態で、フローティングレイクは、透過性の壁を有している。周りの水が、リクレーションの目的に適している水質を有しているが、暗く不満足な彩色を与える堆積物、残骸、及び／又は、スラッジで底が覆われているために、審美的に人を引きつけられない可能性がある。このような場合には、側壁は透過性であり、良質の水を通すことが可能であるが、底は、依然としてソリッドで可撓性の材料で形成されているように、構成され得る。剛性の底を与えることは、即ち、安定で連続であり、移動可能な吸引装置により発生される圧力に耐えることができる底をフローティングレイクに与えることは、底に、かくして水に満足させる色彩を与え、又、吸引装置が、溜っている有機物及び無機物を吸引しながら、底を移動するのを可能にする。かくして、自然又は人工の水域の状態が、リクレーションの目的に適している場合には、側壁は、周りの水域から直接に水が入ることを可能にする透過材料で形成され得る。一実施の形態において、側壁を形成する材料の透過度は、特別な透過性を与えるように選定され得る。
【０１０２】
フローティングレイクの他の実施の形態は、水の温度を制御するためのシステムを有している。例えば、フローティングレイクは、周りの水の温度よりも高い温度に水を維持するように構成され得る。寒い環境では、自然の水は、リクレーションでの使用のために適した水質ではあるが、スイミング又はウォータスポーツのためには、年の全て又は大部分で冷た過ぎることがあり得る。フローティングレイク１に温かい水温を与えるために、フローティングレイクの底は、ダークブルー、グリーン、ブラウン、又は、ブラックのような比較的暗い色で有り得る。暗く色づけされた底は、周りの水よりも高い温度に、太陽放射をフローティングレイク１内の水を熱することができるようにしている。例えば、フローティングレイク１内の温度は、周りの水よりも４乃至１０℃高くなり得る。又、フローティングレイク１の底と側壁とは、フローティングレイク１内に熱が保たれるのを促進するために、絶縁材で構成され得る。
【０１０３】
本願発明のフローティングレイクシステムは、工業的な冷却の目的のためのような他の目的のために、例えば、火力プラント、データセンター、鋳造工場、住宅及び工場ＨＶＡＣシステム、太陽熱発電プラント、紙産業、精製所、原子力発電所、特に、住宅及び工場冷却プロセス、に使用され得る。例えば、本願発明のフローティングレイクシステムは、低コストで高品質の冷却水を備えた工業的な冷却システムを与え、又、中にフローティングレイクが設置される自然又は人工の大型の水域の特質に大きな害を与えないで、加熱された冷却水から熱を消散させるために、大きい水域内に設置され得る。一実施の形態では、フローティングレイクは、工業的プロセスにより要求されている冷却のＭＷ当たり約５０乃至３０，０００m2の表面面積を有している。フローティングレイクからの水は、中にフローティングレイクが設置されている自然又は人工の大型の水域に比較して、かなり減じられた量の有機物を、一般的に含んでいる。この結果、フローティングレイクは、生物付着を最小にし、又、熱変換容量を減じる可能性のある、熱交換器のバイプ中での好ましくない発生を防止する高品質の冷却水を有する熱交換器を工業的プロセスに与える。一実施の形態では、フローティングレイクは、熱交換器にフローティングレイクからの冷却水を供給するために、工業的なプロセスの熱交換器にフローティングレイクを動作的に接続する供給ラインと、熱交換器からフローティングレイクへと加熱された冷却水を戻すために、フローティングレイクに工業的なプロセスを動作的に接続する戻し水ラインとを有するように、構成され得る。冷却水は、本願発明の方法に従って処理され、又、時間中、適切な冷却システムをなすように、フローティングレイク内で再循環される。
【０１０４】
例
以下の例が、例証となり、他の幾つかの実施の形態が、存在し、又、本願発明の範囲内にある。
【０１０５】
例  １
２．５mの平均深さと、８mｘ８mの表面面積とを有するフローティングレイクが、本願による技術をテストするために、設置された。このフローティングレイクは、１mmのＰＶＣ材の単一の層により形成された底、及び、不透過性の側壁を有していた。底は、３GPaのヤング率を示していた。前記ＰＶＣ材は、フローティングレイク構造を得るために熱溶融され、又、浮基材が、構造の安定性とフローティングレイクの形状を維持するためとにより、表面の外縁ら取着された。
【０１０６】
フローティングレイクは、リクレーションの目的には審美的に適していない低品質の水を含んだ６，０００m2以上表面面積を有する灌漑池の中に設立された。この灌漑池は、高い濁度の水を含んでおり、底は、水に暗い色彩と高有機物濃度とが与えられる沈殿物により覆われていた。周りの湖の水質の基本(key)となるパラメータが、測定された。総バクテリア数は、３００CFU/mであることが判り、又、プラチナコバルトスケールで測定されたトゥルカラーは、３５であった。かくして、周りの水域からの水は、フローティングレイクに供給される前に前処理された。水は、細菌学上の要求は、満たされたけれども、トゥルカラーの要求は、満たされなく、このために、この水は、フローティングレイクに供給する前に処理された。
【０１０７】
フローティングレイクは、フローティングレイクを供給するに必要な特別な容積が計算されることにより、正圧を有するようにデザインされた。この容積は、池の水面よりも高い水面を有するのと対応している。前記正圧は、少なくとも２０N/m２になるように選ばれた。フローティングレイクの表面が６４m2なので、理論的な最小の水面上昇のための水量は、以下の式に従って、０．１２８m3として計算された
水面上昇用体積(m3)≧０．００２mｘ６４m2
水面上昇用体積(m3)≧０．１２８m3
従って、フローティングレイク内の水の水面は、周りの水の水面よりも２mm高いことが望まれているので、この水面を高くするのに必要とされている水の総水量は、０．１２８m3であることが、算出された。しかし、実際には、フローティングレイクの壁の可撓性により、即ち、周りの水からフローティングレイクの容積部を分けている構造により、上記水面を高くする量の水が添加されたときに、フローティングレイクの壁が広がることが、判っている。このような広がりは、所望の正圧と同様に、フローティングレイク内の水の実際の水面を、周りの水の水面と等しくした。
【０１０８】
デザインされた水面を上昇させる水量は、周りの水面よりも７．５mm高いフローティングレイク内の水の高さに対応している内圧、即ち，約７６N/m2に対応して、０．５m3であった。このような正圧は、フローティングレイクの境に、水の重量に対して補償する浮き装置を与えることにより維持された。
【０１０９】
コーディネートシステムが、５２時間のサイクルで、１８時間に５７０mVのＯＲＰレベルを維持するように酸化剤の供給を開始し、又、５ＮＴＵを超える水の濁度をさけるために、凝集剤混合物の供給を開始した。供給された酸化剤は、供給の間に１ｐｐｍの濃度で加えられる次亜鉛素酸ナトリウムであった。凝集剤を加えることにより、フローティングレイクの底に溜るであろう不純物が、凝集された。
【０１１０】
コーディネートシステムは、又、移動可能な吸引装置の動作を、この装置の適切なオペレータに信号を与えることにより、開始させた。この移動可能な吸引装置は、約３ＧＰａのヤング率を有するＰＶＣで形成された可撓性の底を清掃するものである。移動可能な吸引装置は、可撓性の底を清浄することが可能なように、磁気システムを有し、特別にデザインされている。この吸引装置は、フローティングレイクの内側の底面の上に配置される内側部分と、フローティングレイクの外側の底面に配置される外側の部分とを有している。これら内側の部分と外側の部分とは、互いに磁気的に吸引されて、フローティングレイクの可撓性の底を、溜っているものを吸引することにより、清浄した。
【０１１１】
前記吸引装置は、最初の色と比較して、ＣＭＹＫスケールで、底の色がブラック構成が増加して３０%を超える前に始動された。底の色のブラック構成は、ＣＭＹＫスケールとの目視による比較で評価された。吸引装置は、動作され、そして、溜った不純物吸引しながら、フローティングレイクの底を全体に渡って移動した。
【０１１２】
吸引装置により吸引させた水は、灌漑池の岸部に配設された濾過システムの中に可撓性のホースを通してポンプにより送られた。
【０１１３】
水が、フローティングレイク内の正圧を維持するように、フローティングレイクに供給された。交換の水は、清浄速度に対応した非常に少量である水量で、１日当たり２mmとして見積もられた蒸発速度を補った。かくして、交換速度が、清浄速度と蒸発速度とに従って、正圧のために水面を上昇させる水量を維持するように、算出された。交換の水流は、間欠的であり、７日間で５０%よりも長い間、周りの水の水面よりも５mmと１cmとの間だけ高いフローティングレイクの水面を維持するのと等価の正圧を維持可能であった。
【０１１４】
比較として、以下の水質のパラメータが、フローティングレイクと周りの水域とから得られた。
【０１１５】
表１：周りの水域とフローティングレイクとの水質の比較
【０１１６】
【表１】
0006266793.tif 000002
【０１１７】
この例のフローティングレイクと方法とは、周りの池よりも優れた彩色と水質とを示した安全でトレーニング用の水域を与えた。
【０１１８】
本願発明の所定の実施の形態が説明されたけれども、他の実施の形態があり得る。この明細書は、詳細な説明を含んでおり、又、この発明の範囲は、添付の特許請求の範囲に示されている。更に、この明細書は、構造の特徴及び/又は方法の行為を言語仕様で記載されているけれども、請求項は、上記特徴又は行為に限定されるものではない。更に、上述された特別な特徴及び行為は、本願発明の示された態様及び実施の形態として記載されている。ここの記載を読んだのちには、種々の他の態様、実施の形態、変形例、及びこれらと等価のものは、本願発明の精神又は請求項に記載された特徴から逸脱しないで、当業者にこれら自身で暗示でき得る。
以下に、出願当初の特許請求の範囲の請求項１−４９に記載の事項を、そのまま、付記しておく。
［１］ フローティングレイク内の水を処理する方法であって、このフローティングレイクは、海洋、河、湖、ため池、潟、池、入江、小川、海湾、川湾、ダム、港、小湾のような広い水域内に設置され、このフローティングレイクは、側壁と底とを有し、フローティングレイクの底は、２０GPaまでのヤング率を有する可撓性材料により形成されており、この方法は、
ａ．５２時間のサイクル内で、約１０乃至約２０時間の最短時間に、少なくとも５５０mVのＯＲＰレベルを維持するように、水に酸化剤を添加することと、
ｂ．水の濁度が５ＮＴＵを超える前に、水に凝集剤を添加することと、
ｃ．フローティングレイクの底のブラック色構成が、ＣＭＹＫスケールで３０%を超える前に、１又は複数の移動可能な吸引装置の動作を開始させて、移動可能な吸引装置により、底に溜っている固形物を含んだ水の一部を底から吸引することと、
ｄ．前記移動可能な吸引装置により吸引された水を濾過し、この濾過された水をフローティングレイクに戻すことにより、フローティングレイクの総量の水を濾過しないで、フローティングレイク内の水から溜まっていた固形物を除去することと、
フローティングレイクの表面面積の１平方メートル当たり少なくとも２０ニュートンの正圧を維持するように、フローティングレイクに水を供給することとを具備し、この供給される水は、３５Pt-Coまでのトゥルカラーと、２，０００CFU/mlよりも少ないバクテリア数とを有し、又、前記正圧は、７日間のインターバルの中の時間の少なくとも５０%の間、維持され、そして、水は、以下の式に従った交換割合で、
交換割合≧蒸発速度＋清浄速度＋漏れ速度
フローティングレイクに供給される方法。
［２］  前記フローティングレイクは、５，０００m２よりも広い表面面積を有している［１］に記載の方法。
［３］  前記フローティングレイクの底と側壁とは、フローティングレイク内に水を保持することが可能であり、このフローティングレイク内の水を周囲の人工又は自然の水域から実質的に隔離し得る不透過性材料により形成されている［１］に記載の方法。
［４］  前記フローティングレイクは、クッション形式のシステム、フレーム構造体、複数の層、複数のチャンバ、又は、これらの組合せのような、吸引装置の動作に安定性を与えるシステムを有している［１］に記載の方法。
［５］  前記酸化剤は、ハロゲン系化合物、過マンガン酸塩、過酸化物、オゾン、過硫酸ナトリウム、過硫酸カリウム、電解方法により製造されたオキシダント、及び、これらの組合せからなるグループから選ばれている［１］に記載の方法。
［６］  前記凝集剤は、陽イオンポリマー、陰イオンポリマー、アルミニウム塩、アルミニウム塩酸塩、明ばん、アルミニウム硫酸塩、四級アンモニウム含有ポリマー、ポリクオタニウム、酸化カルシウム、水酸化カルシウム、硫酸鉄、塩化鉄、ポリアクリルアミド、アルミン酸ナトリウム、珪酸ナトリウム、キトサン、ゼラチン、グアールガム、アルギナート、モリンガの種、胡椒誘導剤、及び、これらの組合せからなるグループから選ばれている［１］に記載の方法。
［７］  前記フローティングレイクの底の色は、水に特定の色彩を与える［１］に記載の方法。
［８］  前記底は、ホワイト、イエロー、ライトブルー、又は、これら組合せの色になっている［７］に記載の方法。
［９］  化学物質の添加は、コーディネートシステムにより開始される［１］に記載の方法。
［１０］  前記吸引装置の動作は、コーディネートシステムにより開始される［１］に記載の方法。
［１１］  前記底の色は、経験、視覚測定、自動装備により決定されている［１］に記載の方法。
［１２］  前記移動可能な吸引装置は、２０GPaよりも小さいヤング率を有する可撓性の底を清浄可能である［１］に記載の方法。
［１３］  前記移動可能な吸引装置は、移動可能な吸引装置を可撓性の前記底に沿って維持させ得る磁気システムを有している［１］に記載の方法。
［１４］  前記移動可能な吸引装置は、可撓性のある装置である［１］に記載の方法。
［１５］  濾過システムが、浮いて、又は陸上に配置されている［１］に記載の方法。
［１６］  前記交換する水は、ポンプシステムによりフローティングレイクの中に供給される［１］に記載の方法。
［１７］  人工のフローティングレイクのシステムであって、このフローティングレイクは、海洋、河、湖、ため池、潟、池、入江、小川、海湾、川湾、ダム、港、小湾のような広い水域内に設置され、
このシステムは、
ａ．２０GPaよりも小さいヤング率を有する可撓性の底と、浮きシステムを構成しているリムを備えた側壁とを有する前記フローティングレイクと、
ｂ．５２時間のサイクルで、最低約１０乃至約２０時間に、少なくとも５５０mVの水の酸化還元電位（ＯＲＰ）を確立するように、フローティングレイク内の水に酸化剤を添加するように駆動される、フローティングレイク内の水に酸化剤又は凝集剤を添加する化学物質適用システムと、
ｃ．フローティングレイクの表面面積の１平方メートル当たり少なくとも２０ニュートンの正圧が、この正圧が７日のインターバル内の少なくとも５０%の時間の間、維持されるように、維持するためのポンプシステムと、 
ｄ．フローティングレイクの可撓性の底に沿って移動可能であり、底に溜っている固形物を含んだ水の一部を底から吸引する、移動可能な吸引装置と、
ｅ．前記移動可能な吸引装置と流体接続しており、移動可能な吸引装置により吸引された前記水の一部を受ける濾過システムと、
ｆ．前記濾過システムからフローティングレイクに濾過された水を戻すための戻しラインと、を具備するフローティングレイクシステム。
［１８］  前記フローティングレイクは、５，０００m２よりも広い表面面積を有している［１７］に記載のフローティングレイクシステム。
［１９］  前記フローティングレイクの底と側壁とは、フローティングレイク内に水を保持することが可能であり、このフローティングレイク内の水を周囲の人工又は自然の水域から実質的に隔離し得る不透過性材料により形成されている［１７］に記載のフローティングレイクシステム。
［２０］  前記底は、フローティングレイク内の水を周りの水域から隔離する単一の不透過性の層により構成されている［１７］に記載のフローティングレイクシステム。
［２１］  前記底は、フローティングレイク内の水を周りの水域から隔離する複数の層により構成されている［１７］に記載のフローティングレイクシステム。
［２２］  前記複数の層は、夫々同じ又は異なる材料により形成され、夫々異なる透過性を有している［２１］に記載のフローティングレイクシステム。
［２３］  前記底は、底の安定性及び/又はモジュール構成を高め得る１又は複数のフレーム部品により構成されたフレーム構造体を有している［１７］に記載のフローティングレイクシステム。
［２４］  前記底は、前記フレーム部品間にフレームコネクターを有している［２３］に記載のフローティングレイクシステム。
［２５］  前記フローティングレイクは、前記可撓性の底と１又は複数のフレーム部品との間の接続をする１又は複数のレールを有している［１７］に記載のフローティングレイクシステム。
［２６］  前記１又は複数のフレーム部品は、剛性の材料により形成されている［２３］に記載のフローティングレイクシステム。
［２７］  前記１又は複数のフレーム部品の剛性材料は、金属、金属合金、プラスチック、木材、コンクリート、又は、これらの組合せである［２６］に記載のフローティングレイクシステム。
［２８］  前記１又は複数のフレーム部品は、可撓性の材料により形成されている［２３］に記載のフローティングレイクシステム。
［２９］  前記１又は複数のフレーム部品の可撓性の材料は、ゴム、プラスチック、布、ナイロン、又は、これらの組合せである［２８］に記載のフローティングレイクシステム。
［３０］  前記フレームコネクターは、可撓性の材料により形成されている［２４］に記載のフローティングレイクシステム。
［３１］  前記フレームコネクターは、剛性の材料により形成されている［２４］に記載のフローティングレイクシステム。
［３２］  前記底は、安定した底を形成可能なように、１又は複数のクッション性を有するセルを有している［１７］に記載のフローティングレイクシステム。
［３３］  前記クッション性を有するセルは、気体又は液体からなる流体、膨張可能なフォーム材、もしくは、これらの組合せが充填されている［３２］に記載のフローティングレイクシステム。
［３４］  前記フローティングレイクは、ポリウレタン系と、押し出しポリスチレン及び発泡ビードポリスチレンのようなポリスチレン系と、ホリエチレン系と、エアチャンバ、ゴムエアバック、又は、ビニールエアバックのような空気充填システムと、プラスチック、フォーム、ゴム、ビニール、樹脂、コンクリート、アルミニウム、及び、異なる種類の木材のような他の適切な材料により構成されたシステム、からなるグループから選ばれた１又は複数の浮き材を有している［１７］に記載のフローティングレイクシステム。
［３５］  前記フローティングレイクは、ビーチ、歩道、遊歩道、プロムナード、ポンツーン、手すり、傾斜した入口システムから選ばれた１又は複数の更なる設備を有している［１７］に記載のフローティングレイクシステム。
［３６］  前記フローティングレイクの底及び/又は側壁は、潮流、風、潮、又は、周りの水域及び環境の特定の天候状態に対して対処するように周りの水域の底に留められている［１７］に記載のフローティングレイクシステム。
［３７］  このフローティングレイクシステムは、周りの水域の底にある対応したアンカーポイントに接続される１又は複数のアンカーポイントを具備している［１７］に記載のフローティングレイクシステム。
［３８］  前記フローティングレイクは、フローティングレイクシステムへの入口を与えるように本土に留められる［１７］に記載のフローティングレイクシステム。
［３９］  前記フローティングレイクは、所定の距離だけ本土から離間されており、本土からフローティングレイクへの入口は、本土をフローティングレイクに接続する１又は複数のドック及び橋により与えられる［１７］に記載のフローティングレイクシステム。
［４０］  このフローティングレイクシステムは、コーディネートシステムを具備している［１７］に記載のフローティングレイクシステム。
［４１］  前記コーディネートシステムは、水質パラメータに関する情報を受けて、この情報を処理して、化学物質適用手段を駆動、並びに/もしくは、移動可能な吸引装置、及び/又は、濾過システムの動作を開始させるように、配設及び構成されている［４０］に記載のフローティングレイクシステム。
［４２］  前記コーディネートシステムは、底の色のブラック構成がＣＭＹＫで３０%を超える前に、移動可能な吸引装置の動作を開始させるように、配設及び構成されている［４１］に記載のフローティングレイクシステム。
［４３］  前記底の材料は、ゴム、プラスチック、テフロン、低密度ポリエチレン、高密度ポリエチレン、ポリプロピレン、ナイロン、ポリスチレン、ポリカーボネイト、ポリエチレンテレフレート、ファイバー、ファイバーボード、木材、ポリアミド、ＰＶＣ膜、布、複合布、ジオメンブレン、アクリル樹脂、及び、これらの組合せからなるグループから選択された可撓性の材料である［１７］に記載のフローティングレイクシステム。
［４４］  前記側壁は、フローティングレイクが中に設置されている水域からの水が、所定の透過度で側壁を通ることを可能にする透過性の材料により形成されている［１７］に記載のフローティングレイクシステム。
［４５］  このフローティングレイクは、複数の移動可能な吸引装置を具備し、前記濾過システムは、複数のフイルターを有している、［１７］に記載のフローティングレイクシステム。
［４６］  前記底は、フローティングレイク内の水に特定の色彩を与える色を有している［１７］に記載のフローティングレイクシステム。
［４７］  前記底は、ホワイト、イエロー、又は、ライトブルーの色、もしくは、これらの組合せを有している［１７］に記載のフローティングレイクシステム。
［４８］  熱交換器にフローティングレイクからの水を供給するために、フローティングレイクから工業用のブロセスの熱交換システムまでの供給ラインと、工業用のブロセスの熱交換器からフローティングレイクへ水を戻すための戻し水ラインとを、更に、具備している［１７］に記載のフローティングレイクシステム。
［４９］  周りの水域内に設置される人工のフローティングレイクシステムであって、
このシステムは、
ａ．周りの水域内に配置され、水と、２０GPaよりも小さいヤング率を有する可撓性の底と、浮きシステムを構成しているリムを備えた側壁とを有し、前記底と側壁とは、容量室を規定し、そして、少なくとも５，０００m2の表面面積を有しているフローティングレイクと、
ｂ．前記フローティングレイク内の水に酸化剤又は凝集剤を添加するための化学物質適用システムと、
ｃ．フローティングレイクの可撓性の底に沿って移動可能であり、底に溜っている固形物を含んだ水の一部を底から吸引する、１又は複数の移動可能な吸引装置と、
ｄ．複数の濾過装置を有し、各濾過装置は、前記１又は複数の移動可能な吸引装置と流体接続しており、１又は複数の移動可能な吸引装置により吸引された前記水の一部を受ける、濾過システムと、
ｅ．前記濾過装置と流体接続しており、濾過された水をフローティングレイクに戻すための戻しラインと、
ｆ．５２時間のサイクル内で、約１０乃至約２０時間の時間に、水内に少なくとも５５０mVの酸化還元電位(ＯＲＰ)を維持するように、前記化学物質適用システムを駆動し、又、フローティングレイクの底のブラック色構成が、ＣＭＹＫスケールで３０%を超える前に、前記１又は複数の移動可能な吸引装置の動作を開始させるように配設及び構成されているコーディネートシステムと、
ｇ．フローティングレイクの表面面積の各平方メートル当たり少なくとも２０ニュートンの正圧を、この正圧が７日のインターバル内の少なくとも５０%の時間の間、維持されるように、維持するために、フローティングレイクの中に水をポンプにより入れるように構成されたポンプシステムと、を具備するフローティングレイクシステム。
【図１】
0006266793.tif 000003
【図２】
0006266793.tif 000004
【図３】
0006266793.tif 000005
【図４Ａ】
0006266793.tif 000006
【図４Ｂ】
0006266793.tif 000007
【図４Ｃ】
0006266793.tif 000008
【図５】
0006266793.tif 000009
【図６】
0006266793.tif 000010
【図７】
0006266793.tif 000011
【図８】
0006266793.tif 000012
【図９Ａ】
0006266793.tif 000013
【図９Ｂ】
0006266793.tif 000014
【図１０Ａ】
0006266793.tif 000015
【図１０Ｂ】
0006266793.tif 000016
【図１１Ａ】
0006266793.tif 000017
【図１１Ｂ】
0006266793.tif 000018
【図１２Ａ】
0006266793.tif 000019
【図１２Ｂ】
0006266793.tif 000020
【図１２Ｃ】
0006266793.tif 000021